(57)【要約】  本発明は、スチームジェネレータに関する発明であって、外形を形成し、内部に水が貯蔵される空間を形成するスチームハウジング、前記スチームハウジングの内部に配置され、印加された電源によって熱を発生させるスチームヒータ、スチームハウジングの周面の一側に配置され、外部から前記スチームハウジングの内部に水が流入するか、前記スチームハウジングの内部の水が外部に流出する連通孔が形成された水パイプ、前記スチームハウジングの上部面に配置され、前記スチームハウジングの内部に空気が流入する空気吸入口が形成された空気吸入部；及び前記空気吸入部と一定間隔離隔した前記スチームハウジングの上部面に配置され、前記スチームハウジングの内部で生成されたスチームと前記空気吸入部を介して流入した空気を外部に吐出するスチーム吐出口が形成されたスチーム吐出部、とを含む。
2021516328.tif 000002
【特許請求の範囲】
【請求項１】
スチームジェネレータであって、
外形を形成し、内部に水が貯蔵される空間を形成するスチームハウジングと、
前記スチームハウジングの内部に配置され、印加された電源により前記スチームハウジングの内部に貯蔵された水を加熱してスチームを発生させるスチームヒータと、
スチームハウジングの周面の一側に配置され、外部から前記スチームハウジングの内部に水が流入する連通孔が形成された水パイプと、
前記スチームハウジングの上部面に配置され、前記スチームハウジングの内部に空気が流入する空気吸入口が形成された空気吸入部と、及び、
前記空気吸入部と離隔した前記スチームハウジングの上部面に配置され、前記スチームハウジングの内部で生成されたスチームと、前記空気吸入部を介して流入した空気とが混合した加湿空気を外部に吐出するスチーム吐出口が形成されたスチーム吐出部と、を備えてなる、スチームジェネレータ。
【請求項２】
前記スチームハウジングは、
内部にスチームヒータが配置される空間を形成し、上側に開口されたロアスチームハウジングと、
前記ロアスチームハウジングの開口された上側をカバーし、上部面に前記空気吸入口と前記スチーム吐出口とが形成されたアッパスチームハウジングと、を備え、
前記水パイプは、前記ロアスチームハウジングの一側に配置される、請求項１に記載のスチームジェネレータ。
【請求項３】
前記空気吸入口の面積は、前記スチーム吐出口の面積より大きく形成された、請求項１に記載のスチームジェネレータ。
【請求項４】
前記スチーム吐出部が、前記スチームハウジングの底面から上側に離隔した高さは、前記空気吸入部が、前記スチームハウジングの底面から上側に離隔した高さより高く形成される、請求項１に記載のスチームジェネレータ。
【請求項５】
前記空気吸入部は、前記スチームハウジングの上側に配置されて、外部空気を前記スチームハウジングの内部で流動させる加湿ファンと連結される、請求項１に記載のスチームジェネレータ。
【請求項６】
前記水パイプは、前記スチームハウジングの前後方向を基準に、前記空気吸入部が形成されたスチームハウジングの後方における前記スチームハウジングの周面の下端部に配置される、請求項１に記載のスチームジェネレータ。
【請求項７】
前記水パイプは、外部から供給される水を前記スチームハウジングの内部に供給する流路と、前記スチームハウジングの内部に貯蔵された水を外部に排出する流路とを形成する水連結管と連結される、請求項１に記載のスチームジェネレータ。
【請求項８】
前記水連結管は、
前記水パイプと連結される第２の連結管と、
前記第２の連結管と連結され、前記スチームハウジングの内部に供給される水が流動する第１の連結管と、
前記第２の連結管と連結され、前記スチームハウジングの内部に排出される水が流動する第３の連結管と、及び、
前記第１の連結管、前記第２の連結管及び前記第３の連結管を互いに連結する３方向パイプと、を備えてなる、請求項７に記載のスチームジェネレータ。
【請求項９】
前記第１の連結管と前記第３の連結管は、水の流動方向の下側に傾斜して形成される、請求項８に記載のスチームジェネレータ。
【請求項１０】
前記第１の連結管は、前記第３の連結管より長い流路を形成する、請求項８に記載のスチームジェネレータ。
【請求項１１】
前記第１の連結管は、前記スチームハウジングの内部に貯蔵される水が、設定水位以内に供給されるように調節するサプライフロータと連結され、
前記空気吸入口は、前記設定水位から上側方向に一定間隔離隔して形成される、請求項８に記載のスチームジェネレータ。
【請求項１２】
前記スチームハウジングの内部の最低水位と最高水位を感知する水位センサーを備え、
前記空気吸入口は、前記水位センサーが感知するスチームハウジングの内部の最高水位より上側に一定間隔離隔して配置される、請求項１に記載のスチームジェネレータ。
【請求項１３】
前記水位センサーは、前記スチームハウジングの上部面から前記スチームハウジングの内部に突出するように配置され、前記空気吸入部と前記スチーム吐出部との間に配置される、請求項１２に記載のスチームジェネレータ。
【請求項１４】
前記水位センサーは、
前記スチームハウジングの内部の最低水位を感知する第１の水位センサーと、
前記スチームハウジングの内部に貯蔵された水が下端部に触れるとき、最高水位を感知する第２の水位センサーと、を備え、
前記空気吸入口は、前記第２の水位センサーの下端部より上側に離隔して配置される、請求項１２に記載のスチームジェネレータ。
【請求項１５】
前記ロアスチームハウジングの一側面には、前記スチームヒータが貫通して設置されるスチームヒータ設置孔が形成される、請求項２に記載のスチームジェネレータ。
【請求項１６】
前記スチームヒータは、
前記スチームハウジングの前記スチームヒータ設置孔において、前記スチームハウジングの内部空間に凸に形成されたＵ字状を有し、スチームハウジングの内部の底面に配置される、請求項１に記載のスチームジェネレータ。
【請求項１７】
前記スチームヒータの凸端部の上側にスチーム吐出口が形成され、前記スチーム吐出口から後方に一定間隔離隔した位置で前記空気吸入口が形成される、請求項１６に記載のスチームジェネレータ。
【請求項１８】
前記スチームヒータは、
並列に配置された第１のヒータ部と、
並列に配置され、前記第１のヒータ部の内側に配置される第２のヒータ部と、
前記スチームハウジングの内部に配置される前記第１のヒータ部及び前記第２のヒータ部をそれぞれ支持するヒータマウントと、を備え、
前記第１のヒータ部と前記第２のヒータ部は、互いに異なる発熱容量を有する、請求項１６に記載のスチームジェネレータ。
【請求項１９】
前記第１のヒータ部と前記第２のヒータ部それぞれは、
前記スチームハウジングの内部に配置されて、前記スチームハウジングの内部に存在する水を加熱する発熱部と、
前記スチームハウジングの外部に配置されて、前記発熱部に電源を印加する電源印加部と、を備えてなる、請求項１８に記載のスチームジェネレータ。
【請求項２０】
前記スチームジェネレータは、前記スチームハウジングの内部に配置される前記第１のヒータ部と前記第２のヒータ部の前方端部を固定するスチームヒータ固定部をさらに備え、
前記ヒータマウントは、前記スチームハウジングの内部に配置される前記第１のヒータ部と前記第２のヒータ部の後方端部を固定する、請求項１８に記載のスチームジェネレータ。
【発明の詳細な説明】
【技術分野】
【０００１】
本発明は、スチームジェネレータに関するものであって、より詳細には、空気調和機の室内機の内部に装着されて、加湿空気を吐出するスチームジェネレータに関する。
【背景技術】
【０００２】
分離型空気調和機は、室内に室内機が配置され、室外に室外機が配置されて、室内機及び室外機を循環する冷媒を介して室内環境を快適に調節することができる。室内空間の快適度を高めるために空気調和機は、冷房、暖房又は除湿の機能を行い、室内空間の温度を制御することができる。ただし、最近は、室内空間の快適度を高めるために、室内空間の湿度も調節するような加湿機能を行える空気調和機に対する需要が増えつつある。
【０００３】
韓国公開特許番号１０−２０１３−０１０９７３８（先行技術１と言う。）には、加湿を提供することのできる加湿装置を備えたスタンド型室内機を開示して、室内空間の湿度を制御することのできる空気調和機を開示している。
【０００４】
先行技術１のスタンド型室内機は、室内機の見栄えを形成する本体の内部に加湿装置が備えられる。そして、先行技術１の加湿装置は、ドレンファンの水を水タンクに貯蔵し、貯蔵された水を介して吸収部材を濡らして、前記吸収部材が吸収された水を自然蒸発させる構造である。
【０００５】
先行技術１の加湿装置は、きれいな水を使用せずに、熱交換器から流れ出た凝縮水を使用する。水タンクに貯蔵された水には、熱交換器の表面から分離された異物が多量含まれうるし、異物におけるカビ又は細菌の繁殖する蓋然性が非常に高い問題点があった。
【０００６】
また、先行技術１の加湿装置は、本体の内部で水を蒸発させるため、蒸発した水が本体の内部の部品又は内壁に付着し得るし、本体の内部にカビ又は細菌の繁殖を引き起こす問題点があった。
【０００７】
先行技術１の加湿装置は、本体の内部で水が蒸発し、送風ファンが作動しても、送風ファンによって蒸発した水分が室内に吐出しきれないで、室内熱交換器の温度が低い場合は、室内熱交換器の表面に再度付着する問題点があった。
【０００８】
また、室内温度が低いときは、室内空気の湿度が低いため、加湿を要する室内条件では、暖房が行われることが一般的である。先行技術１の加湿装置は、室内熱交換器の凝縮水を利用して加湿を提供するため、冷房時のみに加湿を提供することができ、暖房時は、凝縮水が生成しないため、加湿を提供することができない問題点があった。
【０００９】
韓国登録実用新案公報２０−０４４６２４５（以下、先行技術２と言う。）には、湯を沸かしてスチームを発生させ、発生した蒸気を室内に放出して室内を加湿するスチーム加湿器を含む空気調和機を開示している。
【００１０】
先行技術２は、水筒、給水誘導管、加熱ヒータ管及び蒸気放出管を備えて、加熱ヒータ管を介して水を加熱し、蒸気放出管を介してスチームを室内に吐出する構造である。先行技術２は、水筒に貯蔵された水の圧力によって加熱ヒータ管に水を供給することができるが、貯蔵された水を排水することのできる構造は備えていない問題点があった。つまり、先行技術１及び２のように、加湿を提供する装置は、水タンクを介して水を貯蔵するものの、加湿を必要としないとき、水を排水することのできる構造を備えないため、未使用の際には、水が貯蔵される所で細菌又はカビによる汚染が発生する問題点があった。
【００１１】
これは、室内空間に吐出される加湿した空気が、汚染した状態で室内空間に吐出されるため、湿度を制御する機能を行っても、使用者に不快感を与えるか、使用者の人体に危害を加える問題を発生させる。また、水を加熱する方式の先行技術２では、加熱時に発生するスケールが加湿装置の内部及びヒータの表面に形成されて、加湿装置の性能が低下し、加湿装置の寿命を縮める問題を発生させる。
【００１２】
また、先行技術２では、発生する加湿空気に含まれた蒸気粒子の大きさが大きく形成されるため、別途空気を流動させる部材なしに、加熱された蒸気が排出されると、室内空間の広い領域を加湿することができない問題もある。
【先行技術文献】
【特許文献】
【００１３】
【特許文献１】韓国公開特許番号１０−２０１３−０１０９７３８
【特許文献２】韓国登録実用新案公報２０−０４４６２４５
【発明の概要】
【発明が解決しようとする課題】
【００１４】
本発明は、汚染していない加湿空気を吐出するスチームジェネレータを提供することに目的がある。
【００１５】
本発明は、スチームジェネレータの内部に残存水などによる汚染を防止できるスチームジェネレータを提供することに目的がある。
【００１６】
本発明は、スチームジェネレータに吐出される加湿空気の流速を確保して、室内空間の広い領域を加湿するスチームジェネレータを提供することに目的がある。
【００１７】
本発明は、スチームジェネレータから排水される水によってドレンアセンブリが損傷しないスチームジェネレータを提供することに目的がある。
【００１８】
本発明は、スチームジェネレータに加熱された水が水供給アセンブリに逆流することを防止するスチームジェネレータを提供することに目的がある。
【００１９】
本発明は、スチームジェネレータに最高水位で水が供給されても、空気吸入部に供給される空気がスチームジェネレータに円滑に供給されて、加湿空気の吐出流速を確保することのできるスチームジェネレータを提供することに目的がある。
【００２０】
本発明は、貯蔵された水を加熱することによって、スチームジェネレータの内側で発生するスケール量を最小化して、加湿性能を長期間維持できるスチームジェネレータを提供することに目的がある。本発明は、スチームジェネレータから吐出される加湿空気が、微細な水分粒子の大きさを有することで、室内空間の広い領域を早期に加湿することのできるスチームジェネレータを提供するものである。
【００２１】
本発明の課題は、以上に言及した課題に制限されないし、言及していないさらに他の課題は、下記の記載から当業者にとって明確に理解されるだろう。
【課題を解決するための手段】
【００２２】
上記課題を解決するために本発明のスチームジェネレータは、スチームハウジングと、スチームハウジングの内部に存在する水を加熱するスチームヒータ、外部から前記スチームハウジングの内部に水が流入するか、前記スチームハウジングの内部の水が外部に流出する連通孔が形成された水パイプ、前記スチームハウジングの内部に空気が流入する空気吸入口が形成された空気吸入部及び、前記スチームハウジングの内部で生成されたスチームと、前記空気吸入部を介して流入した空気を外部に吐出するスチーム吐出口が形成されたスチーム吐出部、とを含む。よって、水パイプでスチームハウジングの内部の水を外部に排水することができ、空気が吸入される別途空気吸入口を設けて、吐出される加湿空気の流速を調節することができる。
【００２３】
前記スチームハウジングは、内部にスチームヒータが配置される空間を形成し、上側に開口したロアスチームハウジングと、前記ロアスチームハウジングの開口した上側をカバーし、上部面に前記空気吸入口と前記スチーム吐出口とが形成されたアッパスチームハウジングを含み、前記水パイプは、前記ロアスチームハウジングの一側に配置される。
【００２４】
前記ロアスチームハウジングの一側面には、前記スチームヒータが貫通して設置されるスチームヒータ設置孔が形成される。
【００２５】
前記空気吸入口の面積は、前記スチーム吐出口の面積より大きく形成されて、スチーム吐出口に吐出される加湿空気の流速を調節することができる。
【００２６】
前記スチーム吐出部が、前記スチームハウジングの底面から形成される高さは、前記空気吸入部が、前記スチームハウジングの底面から形成される高さより高く形成されて、スチームハウジング内で生成されたスチームがスチーム吐出部側に集まりうる。
【００２７】
前記空気吸入部は、前記スチームハウジングの上側に配置され、外部空気を前記スチームハウジングの内部に流動させる加湿ファンと連結され、スチームハウジングの内部に空気を流動させて、スチーム吐出口に吐出される空気の流速及び加湿量を確保することができる。また、スチームハウジングの内部を乾燥することができる。
【００２８】
前記水パイプは、水連結管と連結され、前記水連結管は、前記スチームハウジングの周面の下側に配置されて、外部から供給される水を前記スチームハウジングの内部に供給するか、前記スチームハウジングの内部に貯蔵された水を外部に排出し、前記水連結管は、前記水パイプと連結される第２の連結管；前記第２の連結管と連結されて、前記スチームハウジングの内部に供給される水が流動する第１の連結管；前記第２の連結管と連結されて、前記スチームハウジングの内部から排出される水が流動する第３の連結管；及び前記第１の連結管、前記第２の連結管及び前記第３の連結管を互いに連結する３方向パイプを含み、スチームハウジングの内部に水を流入させるか、スチームハウジングの内部の水を外部に排出することができる。
【００２９】
前記第１の連結管と前記第３の連結管は、水の流動方向の下側に所定の角度で傾斜して形成されて、スチームハウジングの内部の水が逆流することを防止することができる。
【００３０】
前記第１の連結管は、前記第３の連結管より長い流路を形成して、スチームハウジングの内部の水が逆流することを防止することができる。
【００３１】
前記第１の連結管は、前記スチームハウジングの内部に貯蔵される水が、設定水位以内に供給されるように調節するサプライフロータと連結され、前記空気吸入口は、前記設定水位から上側方向に一定間隔離隔して形成されて、スチームハウジングの内部に水が最高水位で貯蔵されても、空気吸入部に流入する水が流動する空間を確保し、空気吸入部で流動する空気による水の上下方向の震動にも、水が空気吸入部の方向に溢れることを防止することができる。
【００３２】
前記スチームハウジングの内部の最低水位と最高水位を感知する水位センサーを含み、前記空気吸入口は、前記水位センサーが感知するスチームハウジングの内部の最高水位より上側に一定間隔離隔して配置され、スチームハウジングの内部に水が最高水位に貯蔵されても、空気吸入部に流入する水が流動する空間を確保し、空気吸入部で流動する空気による水の上下方向の震動にも、水が空気吸入部の方向に溢れることを防止することができる。
【００３３】
前記水位センサーは、前記スチームハウジングの上部面における前記スチームハウジングの内部に突出するように配置され、前記空気吸入部と前記スチーム吐出部との間に配置されて、空気吸入部から流入してスチーム吐出口に流動する空気の流路を延ばすことができる。
【００３４】
前記水位センサーは、前記スチームハウジングの内部の最低水位を感知する第１の水位センサーと、前記スチームハウジングの内部の最高水位を感知する第２の水位センサーとを含み、前記空気吸入口は、前記第２の水位センサーの下端より上側に離隔して配置され、スチームハウジングの内部に水が最高水位で貯蔵されても、空気吸入部に流入する水が流動する空間を確保し、空気吸入部で流動する空気による水の上下方向の震動にも、水が空気吸入部の方向に溢れることを防止することができる。
【００３５】
前記スチームヒータは、スチームハウジングの後方から前方に凸に形成されたＵ字状を有し、スチームハウジングの内部の底面に配置されて、スチームハウジングの内部の水を早期に加熱することができる。
【００３６】
前記スチームヒータの凸端部の上側にスチーム吐出口が形成され、前記スチーム吐出口から後方に一定間隔離隔した位置で前記空気吸入口が形成される。
【００３７】
前記スチームヒータは、並列に配置された第１のヒータ部と並列に配置され、前記第１のヒータ部の内側に配置される第２のヒータ部と、前記第１のヒータ部及び前記第２のヒータ部それぞれに電源を提供するヒータマウントとを含み、作動モードに応じて第１のヒータ部と第２のヒータ部を個別又は同時に作動させることができる。
【００３８】
前記第１のヒータ部と前記第２のヒータ部それぞれは、前記スチームハウジングの内部に配置されて、前記スチームハウジングの内部に存在する水を加熱する発熱部と、前記スチームハウジングの外部に配置されて、前記発熱部に電源を印加する電源印加部とを含み、外部から印加される電源をスチームハウジングの内部に供給することができる。
【００３９】
前記スチームジェネレータは、前記スチームハウジングの内部に配置される前記第１のヒータ部と、前記第２のヒータ部の前方端部を固定するスチームヒータ固定部をさらに含み、前記ヒータマウントは、前記スチームハウジングの内部に配置される前記第１のヒータ部と前記第２のヒータ部の後方端部を固定して、スチームハウジングの内部に配置される第１のヒータ部と第２のヒータ部を安定して固定配置することができる。
【発明の効果】
【００４０】
本発明による空気調和機の室内機は、次のような効果が一つあるいはそれ以上ある。
【００４１】
第一、外部からスチームジェネレータに水が流入する水パイプが、スチームジェネレータの内部の水を排出する用途に使用されて、スチームジェネレータの内部の水を排出するか、空気が流入する空気吸入部を介してスチームジェネレータの内部を乾燥させる構造を有することで、スチームジェネレータの内部に貯蔵された水が汚染していない状態を維持することができる。また、これは、スチームジェネレータから吐出される加湿空気が汚染していない水で形成され、外部空気と共に吐出されるため、汚染していない加湿空気を吐出することができる長所もある。
【００４２】
第二、空気吸入部が外部空気を内部に流動させる加湿ファンと連結されることによって、加熱によりスチームを生成するスチームジェネレータから吐出される加湿空気の流速を確保して、室内の広い領域を加湿することができる長所がある。
【００４３】
第三、スチームジェネレータに水が供給される第１の連結管の流路抵抗を増やすように、第１の連結管の配置及び長さを調節することによって、スチームジェネレータで加熱された水が外部に逆流することを防止して、スチームジェネレータ及び関連する構成の使用期限を延ばすことができる長所がある。
【００４４】
第四、スチームハウジングの上部面に配置される空気吸入部が、スチームハウジングに万水位より上側に設定間隔離隔して配置されて、スチームハウジングの内部へ水位に関係なく加湿空気を円滑に提供することができる長所がある。
【００４５】
第五、スチームハウジングの一側に配置される水パイプを介してスチームジェネレータに貯蔵された水を排水することができ、空気吸入部を介してスチームジェネレータの内部を乾燥することのできる構造を有することで、スチームジェネレータの内部でスケールが発生することを最小化して、スチームジェネレータの加湿性能が長期間維持されうる長所がある。
【００４６】
第六、本発明のスチームジェネレータは、水を加熱して発生したスチームと、空気吸入部に吸入された空気とが混合して、スチーム吐出部に吐出される構造を有することで、加熱により生成されたスチームが空気と混合する過程で蒸気粒子がさらに微粒化する。よって、スチームジェネレータから吐出される加湿空気が微細な水分粒子の大きさを有することで、室内空間の広い領域を早期に加湿することができる長所がある。
【図面の簡単な説明】
【００４７】
【図１】本発明の一実施形態による空気調和機の室内機の斜視図。
【図２】図１の一部分解斜視図。
【図３】図１におけるドアアセンブリが分離された室内機の斜視図。
【図４】図１のロアキャビネットに組み立てられた加湿アセンブリ及び水タンクの斜視図。
【図５】本発明の一実施形態による加湿アセンブリの後方側斜視図。
【図６】本発明の一実施形態による水タンク及び水供給アセンブリの分解斜視図。
【図７】図６の下側から見た分解斜視図。
【図８】図６の左側断面図。
【図９】図６の正断面図。
【図１０】図６に示された水タンクの斜視図。
【図１１】本発明の一実施形態による水タンク及び水供給アセンブリの断面図。
【図１２】図１１の拡大図。
【図１３】図３に示されたロアキャビネットの内部が示された正面図。
【図１４】図１３に示された水供給アセンブリ及びスチームジェネレータが示された断面図。
【図１５】図１４の斜視図。
【図１６】本発明の一実施形態による排水アセンブリが示された平面図。
【図１７】図１６に示された排水アセンブリの正断面図。
【図１８】図１６に示された排水アセンブリの右側面図。
【図１９】図５に示されたスチームジェネレータの分解斜視図。
【図２０】図１９に示されたスチームジェネレータの水位が表示された例示図。
【図２１】室内機が傾いたとき、スチームジェネレータの内部の水位が表示された例示図。
【図２２】本発明の一実施形態による水パイプの管径、配置及びドレンポンプに印加される電圧による排水速度を示したグラフ。
【図２３】本発明の一実施形態による水パイプの管径及び配置によるスチームジェネレータの内部、給水流路及び排水流路の温度変化を示したグラフ。
【図２４】本発明の一実施形態によるドレンポンプの作動周期によるスケールの発生及びスチームヒータの温度と、洗濯機でのスケールの発生及びスチームヒータ温度を比較して示したグラフ。
【図２５】本発明の一実施形態によるドレンポンプの作動周期によるヒータの内部温度及び熱伝逹率と、洗濯機でのヒータの内部温度及び熱伝逹率を比較して示したグラフ。
【図２６】本発明の第２実施形態によるスチームジェネレータ、水タンク及びドレンポンプの給水及び排水の連結構造が示された平面図。
【発明を実施するための形態】
【００４８】
本発明の利点及び特徴、そしてそれらを達成する方法は、添付の図面と共に詳細に後述されている実施形態を参照すれば明確になる。しかし、本発明は、以下に開示の実施形態に限定されるものではなく、互いに異なる様々な形態に具現することができる。ただし、本実施形態は、本発明の開示を完全にして、本発明の属する技術分野における通常の知識を有する者に発明の範疇を完全に知らせるために提供されるものであり、本発明は、請求項の範疇によって定義されるだけである。全明細書における同じ参照符号は、同じ構成要素を指す。
【００４９】
本発明の全体における「第１、第２、…」の表現は、構成要素を区分するためのものであって、構成要素間の優先順位又は重要度などとは関係ない。図面に表された上（Ｕ）、下（Ｄ）、左（Ｌｅ）、右（Ｒｉ）、前（Ｆ）及び後（Ｒ）の方向表示は、発明の説明の便宜のためであり、発明の範囲を制限するものではない。よって、基準が変更されると、上記方向も異なって設定されうる。
【００５０】
以下では、添付の図面を参照して、本発明のスチームジェネレータについて具体的に考察する。ただし、本発明によるスチームジェネレータが装着されうる一実施形態による空気調和機の室内機の構成と、前記室内機の内部に装着され、スチームジェネレータに連関して作動する加湿アセンブリの構成を説明しながら、本発明によるスチームジェネレータの具体的な構成と配置及び、それによる特徴を共に説明する。
【００５１】
図１は、本発明の一実施形態による空気調和機の室内機の斜視図である。図２は、図１の一部分解斜視図である。図３は、図１におけるドアアセンブリが分離された室内機の斜視図である。
【００５２】
本実施形態による空気調和機は、室内機と冷媒配管を介して前記室内機と連結された冷媒を循環させる室外機（未図示）を含む。
【００５３】
前記室外機は、冷媒を圧縮する圧縮機（未図示）と、前記圧縮機から冷媒を供給されて凝縮させる室外熱交換器（未図示）と、前記室外熱交換器に空気を供給する室外ファン（未図示）と、前記室内機から吐出された冷媒を供給された後、気体冷媒のみを前記圧縮機に提供するアキュムレータ（未図示）とを含む。
【００５４】
前記室外機は、室内機を冷房モード又は暖房モードで作動させるために、四方弁（未図示）をさらに含んでいてもよい。冷房モードで作動されるとき、前記室内機１０１では、冷媒が蒸発して室内空気を冷却させる。暖房モードで作動されるとき、前記室内機では、冷媒が凝縮して室内空気を加熱させる。
【００５５】
＜＜室内機の構成＞＞
前記室内機は、前面が開口され、後面に吸入口１０１が形成されたキャビネットアセンブリ１００と、前記キャビネットアセンブリ１００に組み立てられ、前記キャビネットアセンブリ１００の前面をカバーし、前記キャビネットアセンブリ１００の前面を開閉するドアアセンブリ２００と、前記キャビネットアセンブリ１００の内部空間（Ｓ）に配置され、前記内部空間（Ｓ）の空気を室内に吐出させるファンアセンブリと、前記ファンアセンブリ及びキャビネットアセンブリ１００との間に配置され、吸入された室内空気と冷媒を熱交換させる熱交換アセンブリと、前記キャビネットアセンブリ１００に配置され、室内に水分を提供する加湿アセンブリ２０００とを含む。
【００５６】
前記室内機は、前記キャビネットアセンブリ１００に対して背面に配置された吸入口１０１と、前記キャビネットアセンブリ１００に対して側面に配置された側面吐出口３０１、３０２と、前記キャビネットアセンブリ１００に対して正面に配置された正面吐出口２０１とを含む。
【００５７】
前記吸入口１０１は、前記キャビネットアセンブリ１００の背面に配置される。
【００５８】
前記側面吐出口３０１、３０２は、前記キャビネットアセンブリ１００に対して左側及び右側にそれぞれ配置される。本実施形態において、キャビネットアセンブリ１００の正面視、左側に配置された側面吐出口を第１の側面吐出口３０１と定義し、右側に配置された側面吐出口を第２の側面吐出口３０２と定義する。
【００５９】
前記正面吐出口２０１は、前記ドアアセンブリ２００に配置され、前記ドアアセンブリ２００は、正面吐出口２０１を自動で開閉させるドアカバーアセンブリ１２００をさらに含む。
【００６０】
前記ドアカバーアセンブリ１２００は、前記正面吐出口２０１を開放させた後、前記ドアアセンブリ２００に沿って下側に移動されうる。前記ドアカバーアセンブリ１２００は、ドアアセンブリ２００に対して上下方向に移動可能である。
【００６１】
前記ドアカバーアセンブリ１２００が下側に移動された後、遠距離ファンアセンブリ４００が前記ドアアセンブリ２００を貫通して前方に移動されうる。
【００６２】
前記ファンアセンブリ４００は、近距離ファンアセンブリ及び遠距離ファンアセンブリ４００から構成される。前記近距離ファンアセンブリ及び遠距離ファンアセンブリ４００の後方に前記熱交換アセンブリ５００が配置される。
【００６３】
前記熱交換アセンブリ５００は、キャビネットアセンブリ１００の内側に配置され、前記吸入口１０１の内側に位置し、前記熱交換アセンブリ５００は、前記吸入口１０１をカバーして、垂直に配置される。
【００６４】
前記熱交換アセンブリ５００の前方に前記近距離ファンアセンブリ及び遠距離ファンアセンブリ４００が配置される。前記吸入口１０１に吸入された空気は、前記熱交換アセンブリ５００を通した後、前記近距離ファンアセンブリ及び遠距離ファンアセンブリ４００に流動される。
【００６５】
前記熱交換アセンブリ５００は、前記近距離ファンアセンブリ及び遠距離ファンアセンブリ４００の高さに対応する長さで製作される。
【００６６】
前記近距離ファンアセンブリ及び遠距離ファンアセンブリ４００は、上下方向に積層されうる。本実施形態において、前記近距離ファンアセンブリの上側に遠距離ファンアセンブリ４００が配置される。前記遠距離ファンアセンブリ４００を上側に位置させて、吐出空気を室内の遠い所まで流動させることができる。
【００６７】
前記近距離ファンアセンブリは、前記キャビネットアセンブリ１００に対して側方向に空気を吐出させる。前記近距離ファンアセンブリは、使用者に間接風を提供することができる。前記近距離ファンアセンブリは、キャビネットアセンブリ１００の左側及び右側に同時に空気を吐出する。
【００６８】
前記遠距離ファンアセンブリ４００は、近距離ファンアセンブリの上側に位置され、前記キャビネットアセンブリ１００の内部の上側に配置される。
【００６９】
前記遠距離ファンアセンブリ４００は、キャビネットアセンブリ１００に対して前方方向に空気を吐出させる。前記遠距離ファンアセンブリは、使用者に直接風を提供する。また、前記遠距離ファンアセンブリは、室内空間の遠い所に空気を吐出させて、室内空気の循環を向上させる。
【００７０】
本実施形態における前記遠距離ファンアセンブリ４００は、作動時のみに使用者に露出する。前記遠距離ファンアセンブリ４００が作動されるとき、前記遠距離ファンアセンブリ４００は、ドアアセンブリ２００を貫通して使用者に露出する。前記遠距離ファンアセンブリ４００が作動されないとき、前記遠距離ファンアセンブリ４００は、キャビネットアセンブリ１００の内部に隠匿される。
【００７１】
特に、前記遠距離ファンアセンブリ４００は、空気の吐出方向を制御することができる。前記遠距離ファンアセンブリ４００は、キャビネットアセンブリ１００の正面を基準に上側、下側、左側、右側又は対角線の方向に空気を吐出することができる。
【００７２】
前記ドアアセンブリ２００は、前記キャビネットアセンブリ１００の前方に位置され、前記キャビネットアセンブリ１００と組み立てられる。
【００７３】
前記ドアアセンブリ２００は、キャビネットアセンブリ２００に対して左右方向にスライド移動可能であり、前記キャビネットアセンブリ２００の前面のうち一部を外部に露出させることができる。
【００７４】
前記ドアアセンブリ２００は、左側又は右側方向のいずれか一方向に移動されて、内部空間（Ｓ）を開放させることができる。また、前記ドアアセンブリ２００は、左側又は右側方向のいずれか一方向に移動されて、前記内部空間（Ｓ）のうち一部のみを開放させることができる。
【００７５】
前記加湿アセンブリ２０００は、前記キャビネットアセンブリ１００の内部空間（Ｓ）に水分を提供し、提供された水分は、前記近距離ファンアセンブリを介して室内に吐出されうる。前記加湿アセンブリ２０００は、分離可能な水タンク２１００を含む。
【００７６】
本実施形態における前記加湿アセンブリ２０００は、前記キャビネットアセンブリ１００の内部の下側に配置される。前記加湿アセンブリ２０００が配置された空間と前記熱交換アセンブリ５００が配置された空間とは、区画される。
【００７７】
前記加湿アセンブリ２０００は、フィルターアセンブリ６００を介して濾過した空気及び殺菌されたスチームを用いて加湿を行い、これにより、細菌又はカビのような有害物質が水タンクと接触することを遮断する。
【００７８】
＜＜キャビネットアセンブリの構成＞＞
前記キャビネットアセンブリ１００は、前記スチームジェネレータ２３００は、前記水供給アセンブリ２２００から水を供給されてスチームを生成する。前記スチームジェネレータ２３００は、水を加熱してスチームを生成させるため、殺菌されたスチームを提供することができる。面に安着するベース１３０と、前記ベース１３０の上側に配置され、前面１２１、上側面１２５及び下側面１２６が開口され、左側面１２３、右側面１２４及び背面１２２の閉鎖したロアキャビネット１２０と、前記ロアキャビネット１２０の上側に配置され、吸入口１０１の形成された背面１１６、前面１１１及び下側面１１６が開口され、左側面１１３、右側面１１４及び上側面１１５の閉鎖したアッパキャビネット１１０とを含む。
【００７９】
前記アッパキャビネット１１０の内部を第１の内部空間（Ｓ１）と定義し、前記ロアキャビネット１２０の内部を第２の内部空間（Ｓ２）と定義する。前記第１の内部空間（Ｓ１）及び第２の内部空間（Ｓ２）は、前記キャビネットアセンブリ１００の内部空間（Ｓ）を構成する。
【００８０】
前記アッパキャビネット１１０の内側に近距離ファンアセンブリ３００、遠距離ファンアセンブリ４００及び熱交換アセンブリ５００が配置される。
【００８１】
前記ロアキャビネット１２０の内側に加湿アセンブリ２０００が配置される。
【００８２】
前記アッパキャビネット１１０及びロアキャビネット１２０との間に熱交換アセンブリ５００を支持するドレンファン１４０が配置される。本実施形態における前記ドレンファン１４０は、前記アッパキャビネット１１０の下側面１１６のうち一部を閉鎖する。
【００８３】
キャビネットアセンブリ１００の組み立て時、前記アッパキャビネット１１０の底面１１６は、加湿アセンブリ２０００及びドレンファン１４０によって遮蔽され、前記アッパキャビネット１１０の内部空気は、ロアキャビネット１２０側に流動が遮断される。
【００８４】
前記キャビネットアセンブリ１００の前方にドアアセンブリ２００が配置され、前記ドアアセンブリ２００は、前記キャビネットアセンブリ１００に対して左右方向にスライド移動されうる。
【００８５】
前記ドアアセンブリ２００の移動時、前記キャビネットアセンブリ１００の左側又は右側のうち一部が外部に露出し得る。
【００８６】
アッパキャビネット１１０の前方側縁に吐出グリル１５０が配置される。前記吐出グリル３４０は、ドアアセンブリ２００の後方側に位置される。
【００８７】
前記吐出グリル１５０は、前記アッパキャビネット１１０と一体に製作されうる。本実施形態における前記吐出グリル１５０は、射出成形により別途製作された後、アッパキャビネット１１０に組み立てられる。
【００８８】
前記左側面１１３の前方に配置された吐出グリルを左側吐出グリル１５１と定義し、右側面１１４の前方に配置された吐出グリルを右側吐出グリル１５２と定義する。
【００８９】
前記左側吐出グリル１５１及び右側吐出グリル１５２にそれぞれ側面吐出口３０１、３０２が形成される。前記側面吐出口３０１、３０２は、前記左側吐出グリル１５１及び右側吐出グリル１５２をそれぞれ貫通して形成される。
【００９０】
本実施形態において、前記アッパキャビネット１１０及びロアキャビネット１２０の前方にカバー１６０が配置され、前記キャビネット１００の内部空気がドアアセンブリ２００と直接接触することを遮断する。
【００９１】
ドアアセンブリ２００に冷たい空気が直接接触する場合、結露が発生し得るし、ドアアセンブリ２００を構成する電気回路に否定的な影響を及ぼす問題がある。
【００９２】
そのため、前記アッパキャビネット１１０及びロアキャビネット１２０の前方にカバー１６０を配置し、カバー１６０を介してキャビネット１００の内部空気は、正面吐出口２０１又は側面吐出口３０１、３０２のみに流動されるようにすることができる。
【００９３】
前記カバー１６０は、前記アッパキャビネット１１０の前面をカバーするアッパカバー１６２と、前記ロアキャビネット１２０の前面をカバーするロアカバー１６４と、前記遠距離ファンアセンブリ４００の前面をカバーする遠距離ファンカバー１６６とを含む。
【００９４】
前記遠距離ファンカバー１６６は、前記アッパカバー１６２と一体に製作されうる。本実施形態において、前記遠距離ファンカバー１６６及びアッパカバー１６２を別途製作した後に組み立てられる。
【００９５】
前記遠距離ファンカバー１６６は、遠距離ファンアセンブリ４００の前方に位置され、前記アッパカバー１６２の上側に位置される。前記遠距離ファンカバー１６６及びアッパカバー１６２の前面は、連続した平面を形成する。
【００９６】
前記遠距離ファンカバー１６６は、前後方向に開口されたファンカバー吐出口１６１が形成される。前記ファンカバー吐出口１６１は、正面吐出口２０１と連通され、前記正面吐出口２０１の後方に位置される。前記遠距離ファンアセンブリ４００の吐出グリル４５０は、前記ファンカバー吐出口１６１及び正面吐出口２０１を貫通して、ドアアセンブリ２００の前方に移動されうる。
【００９７】
前記ファンカバー吐出口１６１の前方にドアアセンブリ２００が配置され、後述するパネル吐出口１１０１の後方に前記ファンカバー吐出口１６１が位置される。前記遠距離ファンアセンブリ４００の前方移動時、前記吐出グリル４５０は、ファンカバー吐出口１６１、パネル吐出口１１０１及び正面吐出口２０１を順に通す。
【００９８】
つまり、前記正面吐出口２０１の後方に前記パネル吐出口１１０１が位置され、前記パネル吐出口１１０１の後方に前記ファンカバー吐出口１６１が位置される。
【００９９】
前記遠距離ファンカバー１６６は、アッパキャビネット１１０の前方上側に結合し、前記アッパカバー１６２は、前記アッパキャビネット１１０の前方下側に結合する。
【０１００】
前記ロアカバー１６４は、アッパカバー１６２の下側に位置され、前記ロアキャビネット１２０又は加湿アセンブリ２０００に組み立てられてもよい。組み立て後、前記ロアカバー１６４及びアッパカバー１６２の前面は、連続した面を形成する。
【０１０１】
前記ロアカバー１６４は、前後方向に開口された水タンク開口部１６７が形成される。前記水タンク開口部１６７を介して前記水タンク２１００が分離又は装着されうる。
【０１０２】
前記ロアカバー１６４は、ドレンファン１４０の前方下側に位置される。前記ロアキャビネット１２０の前面全体をカバーしなくても、アッパキャビネット１１０の内部空気の漏れが発生しないため、前記ロアキャビネット１２０の前面全体をカバーしなくても構わない。
【０１０３】
前記加湿アセンブリ２０００の修理、サービス及び入れ替えのために、前記ロアキャビネット１２０の前面一部は、開放されることが好ましい。本実施形態において、前記ロアキャビネット１２０の前面のうち一部は、前記ロアカバー１６４によって遮蔽されない開放面１６９が形成される。
【０１０４】
前記ドアアセンブリ２００の１段開放時、水筒開口部１６７の形成された前記ロアカバー１６４のみ使用者に露出し、２段開放時、前記開放面１６９も使用者に露出する。
【０１０５】
前記ドアアセンブリ２００は、ドアスライドモジュール１３００の作動によって左右方向にスライド移動される。ドアアセンブリ２００のスライド移動によって、水タンク開口部１６７の全体を露出させた状態を１段開放と定義し、前記開放面１６９を露出させた状態を２段開放と定義する。
【０１０６】
前記１段開放時、キャビネットアセンブリ１００の露出する前面を第１開放面（ＯＰ１）と定義し、前記２段開放時、キャビネットアセンブリの露出する前面を第２開放面（ＯＰ２）と定義する。
【０１０７】
＜＜近距離ファンアセンブリの構成＞＞
前記近距離ファンアセンブリは、前記キャビネットアセンブリ１００に対して側方向に空気を吐出させるための構成である。前記近距離ファンアセンブリは、使用者に間接風を提供する。
【０１０８】
前記近距離ファンアセンブリは、前記熱交換アセンブリ５００の前方に配置される。
【０１０９】
＜＜遠距離ファンアセンブリの構成＞＞
前記遠距離ファンアセンブリ４００は、前記キャビネットアセンブリ１００に対して前方に空気を吐出させるための構成である。前記遠距離ファンアセンブリ４００は、使用者に直接風を提供する。
【０１１０】
前記遠距離ファンアセンブリ４００は、前記熱交換アセンブリ５００の前方に配置される。前記遠距離ファンアセンブリ４００は、前記近距離ファンアセンブリの上側に積層される。
【０１１１】
前記遠距離ファンアセンブリ４００は、前記ドアアセンブリ２００に形成された正面吐出口２０１に空気を吐出させる。前記遠距離ファンアセンブリ４００のステアリンググリル４５０は、上、下、左、右又は対角線の方向に回転可能な構造を提供する。前記遠距離ファンアセンブリ４００は、室内空間の遠い方に空気を吐出して、室内空気の循環を向上させることができる。
【０１１２】
図４は、図１のロアキャビネットに組み立てられた加湿アセンブリ及び水タンクの斜視図である。図５は、本発明の一実施形態による加湿アセンブリの後方側斜視図である。図６は、本発明の一実施形態による水タンク及び水供給アセンブリの分解斜視図である。図７は、図６の下側から見た分解斜視図である。図８は、図６の左側断面図である。図９は、図６の正断面図である。図１０は、図６に示された水タンクの斜視図である。図１１は、本発明の一実施形態による水タンク及び水供給アセンブリの断面図である。図１２は、図１１の拡大図である。
【０１１３】
＜＜＜加湿アセンブリの構成＞＞＞
前記加湿アセンブリ２０００は、前記ファンアセンブリ４００の吐出流路上に水分を提供し、提供された水分は、室内に吐出されうる。制御部の操作信号によって前記加湿アセンブリ２０００は、選択的に作動することができる。
【０１１４】
本実施形態において、前記加湿アセンブリ２０００から供給された水分は、側面吐出口３０１、３０２に直接供給されうる。前記加湿アセンブリ２０００から供給される水分は、霧化した状態であるかスチーム状態であってもよい。本実施形態における加湿アセンブリ２０００は、水タンク２１００の水をスチームに変換させて吐出流路に供給する。
【０１１５】
本実施形態における前記加湿アセンブリ２０００は、前記キャビネットアセンブリ１００の内部下側に配置され、具体的には、ロアキャビネット１２０の内部に位置される。
【０１１６】
前記加湿アセンブリ２０００は、ベース１１０に設置され、前記ロアキャビネット１２０を介して囲まれる。前記加湿アセンブリ２０００の上側にドレンファン１４０が位置され、前記加湿アセンブリ２０００で生成されたスチームは、スチームガイド２４００を介して側面吐出口３０１、３０２に直接流動される。つまり、前記加湿アセンブリ２０００の設置された空間とアッパキャビネット１１０の内部空間とは、区画される。
【０１１７】
前記加湿アセンブリ２０００は、前記キャビネットアセンブリ１００に配置され、水が貯蔵される水タンク２１００と、前記キャビネットアセンブリ１００に配置され、前記水タンク２１００に貯蔵された水を供給されて、内部に貯蔵された水をスチームに変換させて加湿空気を生成するスチームジェネレータ２３００と、前記キャビネットアセンブリ１００に配置され、前記スチームジェネレータ２３００と結合して、前記フィルターアセンブリ６００を通した濾過空気を前記スチームジェネレータ２３００に供給する加湿ファン２５００と、前記キャビネットアセンブリ１００に配置され、前記スチームジェネレータ２３００で生成された加湿空気を独立した流路を介して前記キャビネットアセンブリ１００の側面吐出口３０１、３０２に案内するスチームガイド２４００と、前記キャビネットアセンブリ１００に配置され、前記水タンク２１００が分離可能に据え置きされて、前記水タンク２１００の水を前記スチームジェネレータ２３００に提供する水供給アセンブリ２２００と、前記水供給アセンブリ２２００及びスチームジェネレータ２３００に連結され、前記水供給アセンブリ２２００及びスチームジェネレータ２３００の水を外部に排水するドレンアセンブリ２７００、とを含む。
【０１１８】
本実施形態による加湿ファン２５００は、ターボファンを用いることができる。加湿ファン２５００によって流動する空気は、スチームジェネレータ２３００の空気吸入部２３１８を介してスチームジェネレータ２３００の内部空間に流入し、スチームジェネレータ２３００のスチーム吐出部２３１６を介して外部に吐出されうる。スチーム吐出部２３１６で連結される吐出流路は、スチームガイド２４００の内部で形成されて、上側に長い流路を形成する。また、スチームガイド２４００の内部で形成される吐出流路は、スチームジェネレータ２３００の内部空間に比べて流路面積が減って、吐出流路で一定流速以上の空気の流動を形成するためには大きな圧力が必要である。本実施形態による加湿ファン２５００は、吐出流路で定圧性能を維持できるターボファンを用いることができる。
【０１１９】
＜＜水タンクの構成＞＞
前記水タンク２１００は、ドアアセンブリ２００の１段開放時は外部に露出し、ドアアセンブリ２００が開放されない時には外部に露出しない。
【０１２０】
前記ドアアセンブリ２００は、ドアスライドモジュール１３００の作動によって左右方向にスライド移動される。ドアアセンブリ２００のスライド移動によって、水タンク開口部１６７の全体を露出させた状態を１段開放と定義し、前記開放面１６９を露出させた状態を２段開放と定義する。
【０１２１】
前記１段開放時、キャビネットアセンブリ１００の露出する前面を第１開放面（ＯＰ１）と定義し、前記２段開放時、キャビネットアセンブリの露出する前面を第２開放面（ＯＰ２）と定義する。
【０１２２】
本実施形態において、前記水タンク２１００の前面のうち少なくとも一部は、内部の水が見られる材質で形成される。前記水タンク２１００は、前記第１開放面（ＯＰ１）に位置され、より具体的には、前記水タンク開口部１６７に位置される。前記水タンク２１００は、前記水タンク開口部１６７を介して前記ロアキャビネット１２０の内部に挿入される。
【０１２３】
前記水タンク２１００は、水供給アセンブリ２２００に据え置きされるタンクロアボディー２１１０と、上側及び下側が開口され、前記タンクロアボディー２１１０の上側に結合し、前記タンクロアボディー２１１０によって下側面が閉鎖され、内部に水が貯蔵されるタンクミドルボディー２１２０と、上側及び下側が開口されて水タンク開口部２１０１が形成され、前記タンクミドルボディー２１２０の上側に結合するタンクアッパボディー２１３０と、前記タンクアッパボディー２１３０に回転可能に組み立てられる水タンクハンドル２１４０と、前記タンクロアボディー２１１０に組み立てられ、内部に貯蔵された水を前記水供給アセンブリ２２００に選択的に供給する水タンク弁２１５０とを含む。
【０１２４】
前記タンクロアボディー２１１０は、水タンク２１００の底を提供する。前記タンクロアボディー２１１０は、上下方向に貫通した弁孔２１１１が形成され、前記弁孔２１１１に前記水タンク弁２１５０が組み立てられる。前記弁孔２１１１は、前記水タンク２１００の側面視、後方側に位置される。
【０１２５】
前記弁孔２１１１の中心から水タンクの前面（本実施形態で後述するタンクフロントウォール）までの距離をＴ１と定義し、前記弁孔２１１１の中心から水タンクの背面（本実施形態で後述する第１のリアウォール）までの距離をＴ２と定義する。ここで、前記Ｔ１が前記Ｔ２より長く形成される。前記弁孔２１１１を水タンク２１００の後方側に位置させることで、ティルティングアセンブリの作動時、水タンク弁２１５０の漏水を最小化することができる。
【０１２６】
ティルティングアセンブリの作動時、水タンク２１００が水供給アセンブリ２２００と迅速に離隔されることで、水タンク弁２１５０が速かに閉鎖される。前記水タンク２１００は、前方側を、下端を基準に前方にティルティングされるため、水タンク弁２１５０が後方側に位置されることが好ましい。
【０１２７】
本実施形態における前記タンクロアボディー２１１０は、上面視、長方形状である。タンクロアボディー２１１０は、全体的に直方体状に形成され、下側が開口される。
【０１２８】
前記タンクロアボディー２１１０は、内部にロアボディー空間２１１２が形成され、前記ロアボディー空間２１１２は、下側に向かって開口される。前記ロアボディー空間２１１２に前記水供給アセンブリ２２００の一部構成が挿入されうる。
【０１２９】
前記タンクロアボディー２１１０は、前記水供給アセンブリ２２００に分離可能に据え置きされる。タンクロアボディー２１１０は、前面、左側面、右側面、上側面が閉鎖される。
【０１３０】
前記タンクミドルボディー２１２０は、上側の開口したミドルボディーアッパ開口部２１２１と、下側の開口したミドルボディーロア開口部２１２２とを含む。
【０１３１】
前記タンクミドルボディー２１２０は、前面、左側面、右側面及び背面が閉鎖され、上側面及び下側面のみ開口される。前記タンクミドルボディー２１２０は、タンクフロントウォール２１２３、タンクレフトウォール２１２４、タンクライトウォール２１２５及びタンクリアウォール２１２６を含む。
【０１３２】
タンクフロントウォール２１２３、タンクレフトウォール２１２４及びタンクライトウォール２１２５は、上下方向に垂直に配置される。前記タンクリアウォール２１２６は、垂直に配置されるものの、前後方向に屈曲が形成される。
【０１３３】
タンクリアウォール２１２６は、タンクロアボディー２１１０に結合し、タンクロアボディー２１１０の背面と連続した面を形成する第１のリアウォール２１２６ａと、前記タンクアッパボディー２１３０と結合し、前記タンクアッパボディー２１３０と連続した面を形成して、前記第１のリアウォール２１２６ａより前方側に位置される第２のリアウォール２１２６ｂと、前記第１のリアウォール２１２６ａ及び第２のリアウォール２１２６ｂを連結するコネクトウォール２１２６ｃとを含む。
【０１３４】
前記コネクトウォール２１２６ｃは、上下方向に対して傾斜して形成される。前記コネクトウォール２１２６ｃは、前方側が高く、後方側が低く配置される。
【０１３５】
前記第１のリアウォール２１２６ａは、前記コネクトウォール２１２６ｃに対して後方側に位置され、前記第２のリアウォール２１２６ｂは、前記コネクトウォール２１２６ｃに対して前方側に位置される。前後方向に対して前記第１のリアウォール２１２６ａと第２のリアウォール２１２６ｂは、Ｔ３ほどの距離差を形成する。
【０１３６】
そのため、前記第１のリアウォール２１２６ａを含む前記タンクミドルボディー２１２０の平断面積が、前記第２のリアウォール２１２６ｂを含む前記タンクミドルボディー２１２０の平断面積より大きく形成される。かかる構造により水タンク２１００に水が貯蔵された場合、前記水タンク２１００の重心をより後方側に形成させることができる。
【０１３７】
これは、ティルティングアセンブリによって水タンク２１００が前方に傾いたとき、前記水タンク２１００が前方に偏って倒れることを防止することができる。
【０１３８】
前記タンクアッパボディー２１３０は、タンクミドルボディー２１２０の上側端に結合する。前記タンクアッパボディー２１３０は、上面視、長方形に形成される。
【０１３９】
前記タンクアッパボディー２１３０は、上下方向に開口される。前記タンクアッパボディー２１３０は、ミドルボディーアッパ開口部２１２１と連通するアッパボディー開口部２１３１を形成する。前記アッパボディー開口部２１３１の下側に前記ミドルボディー開口部２１２１が配置される。
【０１４０】
前記タンクアッパボディー２１３０に前記水タンクハンドル２１４０が回転可能に組み立てられる。
【０１４１】
前記水タンクハンドル２１４０は、前記タンクアッパボディー２１３０の内側に配置され、ロアキャビネット１２０に収納されたとき、使用者に隠される。
【０１４２】
このために、前記タンクアッパボディー２１３０の内側には、前記水タンクハンドル２１４０が設置されるハンドル設置溝２１３２が形成されうる。
【０１４３】
前記ハンドル設置溝２１３２は、タンクアッパボディー２１３０の前方側に形成される。
【０１４４】
上面視、前記ハンドル設置溝２１３２は、タンクアッパボディー２１３０の厚さ内に配置され、タンクアッパボディー２１３０の上側面から下側に凹に形成される。
【０１４５】
本実施形態における前記ハンドル設置溝２１３２は、前記タンクアッパボディー２１３０の外側に形成される。本実施形態と違って、前記ハンドル設置溝２１３２がタンクアッパボディー２１３０の内側に配置されても構わない。
【０１４６】
前記水タンクハンドル２１４０は、「［」字に形成されたハンドルボディー２１４２と、前記ハンドルボディー２１４２及びタンクアッパボディー２１３０を回転可能に結合させるハンドル軸２１４４と、前記ハンドルボディー２１４２又はハンドル軸２１４４のいずれかに配置され、前記タンクアッパボディー２１３０に支持されるハンドル弾性部材（未図示）を含む。
【０１４７】
前記ハンドル弾性部材は、前記ハンドルボディー２１４２の前方側端を上昇させる方向に弾性力を提供する。本実施形態における前記ハンドル弾性部材は、トーションばねを用いることができる。
【０１４８】
前記水タンク２１００が前方にティルティングされると、前記ハンドル弾性部材によって水タンクハンドル２１４０がハンドル設置溝２１３２の外に回転される。
【０１４９】
前記水タンク２１００が水タンク開口部１６７の中に挿入されると、前記水タンクハンドル２１４０がロアカバー１６４との干渉によって前記ハンドル設置溝２１３２に収納される。
【０１５０】
前記タンクロアボディー２１１０は、前記ミドルボディーロア開口部２１２２に密着し、前記ミドルボディーロア開口部２１２２を密閉させるロアボディートップウォール２１１３と、前記ロアボディートップウォール２１１３から下側に延びて、前記水供給アセンブリ２２００に安着するロアボディーサイドウォール２１１４と、前記ロアボディートップウォール２１１３から下側に突出して、前記ロアボディートップウォール２１１３を上下方向に貫通する弁孔２１１１を形成させる弁設置部２１１５とを含む。
【０１５１】
前記ロアボディートップウォール２１１３は、タンクロアボディー２１１０の上側面を形成し、前記ミドルボディーロア開口部２１２２を遮蔽する。本実施形態におけるロアボディートップウォール２１１３及びミドルボディー２１２０は、水が漏れることを防止するために超音波溶接されて、前記ミドルボディー２１２０の底面を密閉させる。
【０１５２】
前記弁設置部２１１５は、前記ロアボディートップウォール２１１３を上下方向に貫通する弁孔２１１１を形成させる。前記弁設置部２１１５は、円筒状に形成される。
【０１５３】
前記水タンク弁２１５０は、前記弁設置部２１１５に組み立てられる。水タンク弁２１５０は、前記弁設置部２１１５に組み立てられた状態で、上下方向に所定距離移動されうるし、これにより、前記弁孔２１１１を開放させることができる。
【０１５４】
前記水タンク弁２１５０は、機能的にチェック弁の機能を有し、構造的には本実施形態の構造に最適化する。
【０１５５】
前記弁設置部２１１５は、上下ロアボディートップウォール２１１３から下側に長く延びた円筒状の延長設置部２１１６と、前記延長設置部２１１６の内部に配置され、前記水タンク弁２１５０が組み立てられる組立設置部２１１７とを含む。
【０１５６】
前記延長設置部２１１６は、円筒状に形成され、上側及び下側が開口される。前記組立設置部２１１７は、前記延長設置部２１１６の内部を横切って形成される。本実施形態における前記組立設置部２１１７は、水平方向に形成される。
【０１５７】
前記組立設置部２１１７は、前記弁孔２１１１を上側及び下側に区画する。
【０１５８】
前記組立設置部２１１７の上側をアッパ弁孔２１１１ａと定義し、組立設置部２１１７の下側をロア弁孔２１１１ｂと定義する。
【０１５９】
前記タンクロアボディー２１１０は、前記組立設置部２１１７を上下方向に貫通し、前記水タンク弁２１５０が組み立てられる組立孔２１１７ａと、前記組立設置部２１１７を上下方向に貫通し、前記アッパ弁孔２１１１ａ及びロア弁孔２１１１ｂを連通させる設置部孔２１１８をさらに含む。
【０１６０】
前記タンクロアボディー２１１０は、前記組立設置部２１１７を上下方向に貫通し、前記水タンク弁２１５０が組み立てられる組立孔２１１７ａと、前記組立設置部２１１７を上下方向に貫通し、前記アッパ弁孔２１１１ａ及びロア弁孔２１１１ｂを連通させる設置部孔２１１８をさらに含む。
【０１６１】
前記組立孔２１１７ａ及び設置部孔２１１８は、いずれも弁設置部２１１５の内部に位置される。
【０１６２】
前記組立孔２１１７ａは、弁設置部２１１５の中心に配置され、前記設置部孔２１１８は、前記組立孔２１１７ａより外側に配置される。前記設置部孔２１１８は、前記延長設置部２１１６及び組立孔２１１７ａとの間に配置される。
【０１６３】
前記組立孔２１１７ａは、水タンク弁２１５０が組み立てられるため、水の円滑な流動を期待することができない。前記水タンク２１００の水は、前記設置部孔２１１８を介して水供給アセンブリ２２００に流動される。
【０１６４】
＜水タンク弁の構成＞
前記水タンク弁２１５０は、タンクロアボディー２１１０の弁設置部２１１５と上下方向に移動可能に組み立てられる弁コア２１５２と、弾性材質で形成され、前記弁コア２１５２と組み立てられて、前記弁コア２１５２の上下移動時、前記弁孔２１１１を選択的に開閉させるダイヤフラム２１５４とを含む。
【０１６５】
上面視、前記ダイヤフラム２１５４は、円形に形成され、前記弁孔２１１１の直径より大きい。ダイヤフラム２１５４の上端は、弁孔２１１１の上側に位置され、下端は、前記弁孔２１１１の内部に位置される。
【０１６６】
本実施形態における前記ダイヤフラム２１５４は、下側に凹むボウル（ｂｏｗｌ）状である。前記弁コア２１５２は、ダイヤフラム２１５４の中心を上下方向に貫通する。
【０１６７】
前記ダイヤフラム２１５４は、中心側から外方に復元しようとする弾性力を提供する。
【０１６８】
前記水タンク２１００に設置された水タンク弁２１５０が水供給アセンブリ２２００に据え置きされるとき、前記弁コア２１５２の下端が後述する弁サポータ２２５０と接触する。
【０１６９】
前記弁コア２１５２が前記弁サポータ２２５０に接触して支持されると、前記ダイヤフラム２１５４を含んだ水タンク弁２１５０が前記弁サポータ２２５０に位置され、前記水タンク弁２１５０を除いた水タンク２１００の他構成は、下側に移動される。
【０１７０】
そのため、前記水タンク弁２１５０が弁サポータ２２５０に支持されると、ダイヤフラム２１５４が前記弁孔２１１１を開放させる。一方、水タンク２１００が水供給アセンブリ２２００から分離されると、水の圧力によって前記ダイヤフラム２１５４が弁孔２１１１を閉鎖させる。
【０１７１】
＜＜水供給アセンブリの構成＞＞
前記水供給アセンブリ２２００は、水タンク２１００の水をスチームジェネレータ２３００に供給する。前記水供給アセンブリ２２００は、水タンク２１００が据え置きされる時のみに、水タンク２１００の水タンク弁２１５０を開放させて、スチームジェネレータ２３００に水を供給する。
【０１７２】
水供給アセンブリ２２００は、水タンク２１００を支持し、前記水タンク２１００からスチームジェネレータ２３００に流動される流路を提供する。また、前記水供給アセンブリ２２００は、前記スチームジェネレータ２３００に貯蔵された水の水位に応じて前記水タンク弁２１５０を開閉させることができる。本実施形態における前記水タンク弁２１５０の開閉は、電気的信号によって作動する代わりに、機構的な配置によって具現する。水タンク弁２１５０の開閉を電動式に具現する場合、これによる電気配線が湿気又は水に露出し得て、これによる誤作動及び安全性が問題となる。
【０１７３】
本実施形態では、前記水タンク弁２１５０の開閉を機構的な結合関係によって具現するため、水と接触する部位の電気の使用を最小化することができ、これにより、誤作動及び安全事故を予防することができる。
【０１７４】
前記水供給アセンブリ２２００は、キャビネットアセンブリ１００（本実施形態におけるベース）に配置され、前記水タンク２１００から供給された水をサプライチャンバ２２１１に一時貯蔵し、前記サプライチャンバ２２１１に貯蔵された水を前記スチームジェネレータ２３００に供給するサプライチャンバハウジング２２１０と、前記サプライチャンバハウジング２２１０のサプライチャンバ２２１１に配置され、前記サプライチャンバ２２１１に貯蔵された水の水位に応じて上下方向に移動されるサプライフロータ２２２０と、前記サプライチャンバハウジング２２１０の上側に配置され、前記サプライチャンバ２２１１の上側をカバーし、前記水タンク２１００から供給された水を前記サプライチャンバ２２１１に案内するサプライ流路２２３１のうち一部が形成され、前記水タンク２１００のティルティング時、前記水タンク２１００を支持してティルティング角を提供するサプライサポートボディー２２３０と、前記サプライサポートボディー２２３０に配置され、前記水タンク２１００に据え置き時、前記水タンク２１００の水タンク弁２１５０と接触して、前記水タンク弁２１５０を開放させ、前記水タンク弁２１５０から吐出された水を前記サプライチャンバ２１１１に案内する前記サプライ流路２２３１のうち一部を提供する弁サポータ２２５０と、前記水タンク２１００が分離可能に据え置きされ、前記水タンク２１００及びサプライサポートボディー２２３０との間に配置され、前記水タンクのティルティング時、前記サプライサポートボディー２２３０と相対回転可能であり、前記水タンクの水供給部弁が貫通するように配置されて、前記水タンクの水を前記サプライチャンバ２１１１に提供するサプライティルティングカバー２２６０と、前記サプライティルティングカバー２２６０及びサプライサポートボディー２２３０との間に配置され、前記サプライティルティングカバー２２６０及びサプライサポートボディー２２３０を連結し、前記弁サポータ２２５０が内部に配置され、前記サプライティルティングカバー２２６０から供給された水を、前記サプライサポートボディー２２３０のサプライ流路２２３１を介して前記サプライチャンバ２２１１に案内する水ベローズ２２４０を含む。
【０１７５】
前記水タンク２１００の下側に前記水タンク弁２１５０が配置され、前記水タンク弁２１５０の下側に弁サポータ２２５０及びサプライサポートボディー２２３０が配置され、前記弁サポータ２２５０の下側に前記サプライフロータ２２２０が配置されて、前記サプライチャンバ２２１１の高さ内で前記サプライフロータ２２２０が上下方向に移動される。
【０１７６】
前記水タンク２１００の水は、前記水タンク弁２１５０、水ベローズ２２４０及びサプライ流路２２３１を経てサプライチャンバ２２１１に流動される。前記サプライチャンバ２２１１は、供給された水を一時貯蔵し、水は、自重による位置エネルギーによって前記スチームジェネレータ２３００に流動させる。
【０１７７】
＜サプライチャンバハウジングの構成＞
前記サプライチャンバハウジング２２１０は、キャビネットアセンブリ１００のベース１３０の上側面に設置される。サプライチャンバハウジング２２１０は、水タンクから供給された水を一時貯蔵し、貯蔵された水をスチームジェネレータ２３００に提供する。前記サプライチャンバハウジング２２１０は、サプライフロータ２２２０の設置空間を提供し、サプライフロータ２２２０は、前記サプライチャンバハウジング２２１０内で上下方向に移動されうる。
【０１７８】
前記サプライチャンバハウジング２２１０は、前記キャビネットアセンブリ１００のベース１３０の上側に設置されるチャンバハウジングボディー２２１２と、前記チャンバハウジングボディー２２１２の内側に配置され、上側方向に開口され、下側に凹に形成され、水を一時貯蔵するサプライチャンバ２２１１と、前記チャンバハウジングボディー２２１２又はサプライフロータ２２２０のうち少なくともいずれかに配置されて、前記サプライフロータ２２２０の底面２２２０ａを前記サプライチャンバ２２１１の底面２２１１ａから離隔させるリブ２２１５と、前記チャンバハウジングボディー２２１２に配置され、前記サプライチャンバ２２１１と連通されて、前記チャンバハウジング２２１２に貯蔵された水を、前記スチームジェネレータ２３００に水を提供するチャンバハウジングパイプ２２１４とを含む。
【０１７９】
前記サプライチャンバ２２１１は、上側に開口する。サプライチャンバ２２１１の開放された上側面をチャンバ開口面２２１３と定義する。前記サプライチャンバ２２１１の内部に前記サプライフロータ２２２０が配置される。本実施形態における前記サプライチャンバ２２１１は、円筒状に形成される。前記サプライフロータ２２２０は、サプライチャンバ２２１１の形状に対応して平断面が円形に形成される。
【０１８０】
前記サプライチャンバ２２１１の平断面の形状は、サプライフロータ２２２０の平断面の形状に対応することが、サプライフロータ２２２０の移動に好ましい。前記サプライチャンバ２２１１の平断面の形状は、自由に形成されうるが、前記角張った形態に形成される場合、サプライフロータ２２２０の上下移動時、引っ掛かりを発生させることができ、設置体積を増加させることができる。
【０１８１】
前記サプライチャンバ２２１１の底面２２１１ａは、傾斜して形成される。前記底面２２１１ａは、前記チャンバハウジングパイプ２２１４に向かって傾斜して形成されうる。
【０１８２】
前記リブ２２１５は、本実施形態におけるチャンバハウジングボディー２２１２に形成される。前記リブ２２１５は、サプライチャンバ２２１１の底面２２１１ａから上側に突出する。前記リブ２２１５は、前記サプライフロータ２２２０の底面２２２０ａと前記サプライチャンバ２２１１の底面２２１１ａを離隔させる。
【０１８３】
前記リブ２２１５がない場合、前記サプライチャンバ２２１１に水が満たしても、水の表面張力によって前記サプライフロータ２２２０の底面２２２０ａ及び前記サプライチャンバ２２１１の底面２２１１ａが密着し得る。前記密着によって、前記サプライフロータ２２２０が水位に応じて上下に移動されないことがある。
【０１８４】
前記リブ２２１５は、前記密着によるサプライフロータ２２２０の誤作動を防止することができる。
【０１８５】
また、前記サプライフロータ２２２０の側面２２２０ｂが、前記サプライチャンバ２２１１の内壁２２１１ｂに固定することを防止するために、前記サプライフロータ２２２０の側面２２２０ｂ及びサプライチャンバ２２１１の内壁２２１１ｂは、１ｍｍ以上の裕隔が確保されなければならない。
【０１８６】
前記チャンバハウジングパイプ２２１４は、サプライチャンバ２２１１の内部と連通される。前記チャンバハウジングパイプ２２１４の内側端２２１４ａは、前記サプライチャンバ２２１１と連通し、外側端２２１４ｂは、前記サプライチャンバ２２１１の外に突出する。
【０１８７】
前記サプライチャンバ２２１１の底面２２１１ａは、前記チャンバハウジングパイプ２２１４の内側端２２１４ａと同様であるか高く形成され、これにより、前記サプライチャンバ２２１１の水が残留することを防止する。
【０１８８】
前記チャンバハウジングパイプ２２１４の外側端２２１４ｂは、前記サプライチャンバ２２１１の底面より下側に配置され、サプライチャンバ２２１１に貯蔵された水は、自重によって前記チャンバハウジングパイプ２２１４に流動される。
【０１８９】
前記チャンバハウジングパイプ２２１４の外側端２２１４ｂは、前記サプライチャンバ２２１１の底面２２１１ａより低く配置される。
【０１９０】
本実施形態におけるチャンバハウジングパイプ２２１４の内側端２２１４ａの高さ内で前記サプライチャンバ２２１１の底面２２１１ａが位置される。
【０１９１】
前記チャンバハウジングパイプ２２１４の内側端２２１４ａが前記サプライチャンバ２２１１の底面より高い場合、サプライチャンバ２２１１の内部に残留する水が発生し得るし、これによる細菌又はカビの繁殖を引き起こし得る。前記チャンバハウジングパイプ２２１４の内側端２２１４ａは、前記サプライチャンバ２２１１の底面と同様であるか低く形成されることが好ましい。
【０１９２】
前記加湿アセンブリ２０００を使用しないとき（例えば、湿度の高い夏や水タンクに貯蔵期間が長くなるとき）、水タンク２１００を始めた前記加湿アセンブリ２０００に、あらゆる水は、内部に残留せずに外部に排水される。
【０１９３】
このために本実施形態では、前記水タンク２１００から供給された水が流動する過程で残留せずに、自重によって移動されうる構造を提供する。
【０１９４】
前記チャンバハウジングパイプ２２１４の外側端２２１４ｂは、スチームジェネレータ２３００と連結され、スチームジェネレータ２３００に水を供給する。本実施形態における前記水タンク２１００の水は、位置エネルギーによって前記スチームジェネレータ２３００に流動される。
【０１９５】
＜弁サポータの構成＞
前記弁サポータ２２５０は、水タンク弁２１５０の下側に配置される。前記弁サポータ２２５０は、前記水タンク２１００が水供給アセンブリ２２００に据え置きされるとき、前記水タンク弁２１５０と干渉して、前記水タンク弁２１５０を開放させる。
【０１９６】
前記弁サポータ２２５０は、上側が尖った形状に形成され、前記水タンク弁２１５０の弁コア２１５２を支持する。
【０１９７】
前記水タンク２１００が水供給アセンブリ２２００に据え置きされると、前記弁サポータ２２５０が前記弁コア２１５２と干渉して、前記水タンク弁２１５０を上側に押し上げ、かかる過程を通じて弁孔２１１１が開放される。
【０１９８】
前記弁孔２１１１が開放されると、前記水タンク２１００の水が前記サプライサポートボディー２２３０に流動される。
【０１９９】
前記弁サポータ２２５０は、別途製作されても構わないが、本実施形態では、射出成形を介してサプライサポートボディー２２３０と一体に製作される。前記水タンク弁２１５０との接触のために、前記弁サポータ２２５０は、前記サプライサポートボディー２２３０から上側に露出しなければならない。
【０２００】
前記弁サポータ２２５０は、様々な形態に形成されうる。本実施形態における前記弁サポータ２２５０は、第１の弁サポータ２２５２及び第２の弁サポータ２２５４を含む。前記第１の弁サポータ２２５２及び第２の弁サポータ２２５４は、互いに離隔して弁サポータギャップ２２５６を形成する。前記弁サポータギャップ２２５６の間に水が流動されうる。
【０２０１】
前記第１の弁サポータ２２５２及び第２の弁サポータ２２５４は、垂直に配置され、前記弁サポータギャップ２２５６も上下方向に配置される。前記弁サポータギャップ２２５６の上側に弁コア２１５２が配置される。
【０２０２】
前記第１の弁サポータ２２５２及び第２の弁サポータ２２５４が離隔して配置されるため、前記第１の弁サポータ２２５２及び第２の弁サポータ２２５４が弁コア２１５２の下端を支持しても、前記水タンク２１００に排出された水が前記弁サポータギャップ２２５６に流入することができる。
【０２０３】
前記弁サポータギャップ２２５６の下端は、開口される。弁サポータギャップ２２５６の上側は、前記サプライサポートボディー２２３０の上側に向かって開口され、前記弁サポータギャップ２２５６の下側は、前記サプライサポートボディー２２３０の下側に向かって開口される。
【０２０４】
本実施形態における前記弁サポータ２２５０が、前記サプライサポートボディー２２３０と一体に製作されるため、前記弁サポータギャップ２２５６の下側は、サプライチャンバ２２１１と連通したミドル孔２２５８が形成される。ミドル孔２２５８は、サプライ流路２２３１の一部を形成する。
【０２０５】
本実施形態における前記ミドル孔２２５８が弁サポータギャップ２２５６の下側に形成されるが、本実施形態と違って、前記ミドル孔２２５８は、前記サプライサポートボディー２２３０に形成されても構わない。前記ミドル孔２２５８は、前記サプライサポートボディー２２３０を上下方向に貫通するように形成される。
【０２０６】
前記ミドル孔２２５８は、水ベローズ２２４０の内部空間及びサプライチャンバ２２１１を連通させる。
【０２０７】
前記弁サポータ２２５０は、水ベローズ２２４０の内部に位置される。そのため、前記弁孔２１１１を介して排出された水は、前記水ベローズ２２４０に貯蔵され、前記ミドル孔２２５８を介してサプライチャンバ２１１１に流動される。
【０２０８】
前記ミドル孔２２５８は、前記水ベローズ２２４０の内側に位置されることが好ましい。前記ミドル孔２２５８が前記水ベローズ２２４０の外に配置される場合、前記水タンク２１００から排出された水をミドル孔２２５８に案内する別途構成が配置されるか、排出された水が他所に流動されることを遮断するための構成がサプライサポートボディー２２３０に配置されなければならない。
【０２０９】
前記水タンク弁２１５０及び弁サポータ２２５０の接触部分（弁コアの下端及び弁サポータの上端）は、前記水ベローズ２２４０の内部に位置されることが好ましい。
【０２１０】
前記水ベローズ２２４０は、前記サプライチャンバ２２１１のように、水タンク２１００から排出された水を一時貯蔵する空間を提供する。これに関する構成は、水ベローズ２２４０の構成においてより詳細に説明する。
【０２１１】
＜サプライサポートボディーの構成＞
前記サプライサポートボディー２２３０は、前記サプライチャンバハウジング２２１０の上側に配置されて、前記サプライチャンバ２２１１の上側をカバーする。特に、前記サプライチャンバ２２１１が上側面を密閉し、前記サプライチャンバ２２１１の内部の水が、前記サプライチャンバハウジング２２１０の外に漏水することを防止する。
【０２１２】
そして、前記サプライサポートボディー２２３０は、前記水タンク２１００から供給された水を、前記サプライチャンバ２２１１に案内するサプライ流路２２３１のうち一部が形成され、本実施形態では、前記弁サポータ２２５０のミドル孔２２５８がこれに代わる。
【０２１３】
そして、前記サプライサポートボディー２２３０は、前記水タンク２１００を支持し、前記水タンク２１００のティルティング時に回転された水タンク２１００を支持する。
【０２１４】
前記サプライサポートボディー２２３０は、前記サプライチャンバハウジング２２１０の上側に配置され、前記サプライチャンバ２２１１の上側をカバーするサプライボディープレート２２３２と、前記サプライボディープレート２２３２を上下方向に貫通し、前記水タンク２１００で前記サプライチャンバ２２１１を連結するサプライ流路２２３１のうち一部を形成するミドル孔２２５８と、前記サプライボディープレート２２３２の下側に突出し、前記ミドル孔２２５８と連通されて、前記サプライフロータ２２２０の上側一部が挿入され、前記サプライフロータ２２２０の移動方向を案内するフロータガイド２２３４と、前記サプライボディープレート２２３２から上側に突出し、前記水タンク２１００の底面と所定のティルティング角を形成し、前記水タンク２１００のティルティング時、前記水タンク２１００を支持するティルティングサポータ２２３６とを含む。
【０２１５】
前記サプライボディープレート２２３２は、前記サプライチャンバハウジング２２１０の上側に配置され、前記サプライチャンバ２２１１の上側面を形成するチャンバ開口面２２１３をカバーし、前記サプライチャンバ２２１１のチャンバ開口面２２１３を密閉させる。
【０２１６】
前記サプライボディープレート２２３２がサプライチャンバ２２１１を効果的に密閉させるために、前記サプライボディープレート２２３２から下側に突出したシーリングリブ２２３１がさらに形成される。
【０２１７】
前記シーリングリブ２２３１は、前記サプライチャンバ２２１１のチャンバ開口面２２１３に対応する形状に形成される。前記シーリングリブ２２３１及びサプライチャンバハウジング２２１０との間にシーリングのためのサプライチャンバガスケット２２３３がさらに配置される。
【０２１８】
上面視、前記サプライチャンバガスケット２２３３は、前記チャンバ開口面２２１３の縁の形状に対応する。サプライチャンバガスケット２２３３は、弾性材質で形成され、前記サプライチャンバハウジング２２１０及びサプライサポートボディー２２３０との間に配置される。
【０２１９】
前記ミドル孔２２５８は、サプライボディープレート２２３２を上下方向に貫通し、前記水タンク２１００で前記サプライチャンバ２２１１を連結する。前記ミドル孔２２５８は、サプライ流路２２３１のうち一部を形成し、前記水タンク２１００から排出した水をサプライサポートボディー２２３０の下側に流動させる。
【０２２０】
本実施形態における前記ミドル孔２２５８は、弁サポータ２２５０に配置される。本実施形態と違って、前記サプライボディープレート２２３２を貫通する別のミドル孔を配置することができる。この場合、前記ミドル孔２２５８は、前記水ベローズ２２４０の内部に位置される。つまり、本実施形態と違って、前記水ベローズ２２４０の内部に弁サポータ２５０のミドル孔２２５８と別のミドル孔が配置されうる。
【０２２１】
前記フロータガイド２２３４は、前記サプライボディープレート２２３２の底面から下側に突出する。フロータガイド２２３４は、前記ミドル孔２２５８と連通する。本実施形態における前記フロータガイド２２３４は、前記ミドル孔２２５８の下側に位置され、前記ミドル孔２２５８を通した水を前記フロータガイド２２３４の内部に案内する。
【０２２２】
前記フロータガイド２２３４は、下側が開口した形態であり、開口した下側面を介して前記サプライフロータ２２２０の上側一部が挿入されうる。前記フロータガイド２２３４は、前記サプライフロータ２２２０の移動方向を案内する。
【０２２３】
前記フロータガイド２２３４は、前記サプライフロータ２２２０の挿入されるフロータガイド内部空間２２３４Ｓが形成される。前記フロータガイド内部空間２２３４Ｓの上側に前記ミドル孔２２５８が配置され、前記ミドル孔２２５８の上側に弁サポータギャップ２２５６が配置される。
【０２２４】
前記弁サポータギャップ２２５６、ミドル孔２２５８及びフロータガイド内部空間２２３４Ｓを一列配置して、水の移動距離を最短距離に形成することができる。前記ミドル孔２２５８は、後述するサプライフロータ２２２０の昇降時に閉鎖され、下降時に開放される。つまり、サプライフロータ２２２０は、スチームハウジング２３１０の内部に貯蔵される水の設定水位以内に供給されるように調節することができる。ここで設定水位とは、図２０での最高水位（ＷＨ）を意味し得る。
【０２２５】
前記サプライフロータ２２２０を介してミドル孔２２５８の開閉は、前記水タンク弁２１５０の開閉と別に行われる。
【０２２６】
前記ティルティングサポータ２２３６は、サプライボディープレート２２３２から上側に突出した構造物である。本実施形態における前記ティルティングサポータ２２３６は、射出成形を介してサプライサポートボディー２２３０と一体に製作される。本実施形態と違って、前記ティルティングサポータ２２３６は、別途製作された後、前記サプライサポートボディー２２３０に組み立てられる。
【０２２７】
前記ティルティングサポータ２２３６は、前記水タンク２１００を支持するための構造物であるため、前記水タンク２１００の下部に配置される。
【０２２８】
前記ティルティングサポータ２２３６は、前記水タンク２１００がティルティングされる前、前記水タンク２１００を垂直に支持する第１のサポータ部２２３６ａと、前記水タンク２１００がティルティングされた後、前記水タンク２１００を傾斜して支持する第２のサポータ部２２３６ｂとを含む。
【０２２９】
前記第１のサポータ部２２３６ａは、前記サプライボディープレート２２３２の上側に突出して、前後方向に長く延びる。前記第１のサポータ部２２３６ａの上側端は、水平に配置される。本実施形態における前記第１のサポータ部２２３６ａは、前記弁サポータ２２５０の上側端より高く位置される。
【０２３０】
前記第２のサポータ部２２３６ｂは、前記サプライボディープレート２２３２の上側に突出して、前後方向に配置される。前記第２のサポータ部２２３６ｂの上側端を傾斜して配置される。前記第２のサポータ部２２３６ｂは、水タンク２１００のティルティング方向に傾斜して配置される。
【０２３１】
本実施形態における前記水タンク２１００は、前方にティルティングされるため、前記第２のサポータ部２２３６ｂは、後方が高くて前方が低いティルティング傾斜面２２３７を提供する。前記ティルティング傾斜面２２３７は、第２のサポータ２２３６ｂの上側面に形成される。前記ティルティング傾斜面２２３７は、後方から前方下側に向かって傾斜して形成される。
【０２３２】
前記ティルティング傾斜面２２３７は、前記水タンク２１００の底面と所定のティルティング角を形成する。前記ティルティング傾斜面２２３７は、１０度以上かつ４５度以下に形成されうる。前記水タンク２１００が前記ティルティング傾斜面２２３７に支持されるとき、前記水タンク２１００は、転倒してはならない。また、前記水タンク２１００が前記ティルティング傾斜面２２３７に支持されるとき、水タンクハンドル２１４０が使用者に露出し、上側に回転して展開されなければならない。
【０２３３】
＜サプライティルティングカバーの構成＞
前記サプライティルティングカバー２２６０は、水タンク２１００の下側に配置されて、前記水タンク２１００が分離可能に据え置きされる。本実施形態における前記サプライティルティングカバー２２６０は、前記水タンク２１００及びサプライサポートボディー２２３０との間に配置される。
【０２３４】
前記水タンクのティルティング時、前記サプライティルティングカバー２２６０は、前記サプライサポートボディー２２３０に支持された状態で、前記サプライサポートボディー２２３０と相対回転される。
【０２３５】
前記サプライティルティングカバー２２６０は、前記水タンクの水供給弁が貫通するように配置され、前記水タンク弁２１５０は、前記サプライティルティングカバー２２６０を貫通して、弁サポート２２５０と接触する。
【０２３６】
本実施形態における前記サプライティルティングカバー２２６０は、水タンク２１００の下部を構成するタンクロアボディー２１１０に分離可能に挿入されうる。
【０２３７】
前記サプライティルティングカバー２２６０は、下側が開口し、上面及び側面を閉鎖する。
【０２３８】
前記サプライティルティングカバー２２６０は、水タンク２１００の下部が分離可能に据え置きされ、前記サプライサポートボディー２２３０にティルティング可能に据え置きされ、前記ティルティングアセンブリの作動によってティルティングされるティルティングカバーボディー２２６２と、前記ティルティングカバーボディー２２６２を上下方向に貫通し、前記水タンク２１００の弁孔２１１１と連通される弁挿入孔２２６１と、前記ティルティングカバーボディー２２６２から下側に延びたティルティングカバーサイドウォール２２６４とを含む。
【０２３９】
前記ティルティングカバーボディー２２６２は、大体に水平に配置される。前記ティルティングカバーボディー２２６２に前記弁挿入孔２２６１が形成される。前記弁挿入孔２２６１は、前記ティルティングカバーボディー２２６２を上下方向に貫通して、前記弁孔２１１１の水を提供される。前記弁孔２１１１の下側に前記弁挿入孔２２６１が配置される。
【０２４０】
前記ティルティングカバーボディー２２６２の下側面に前記ティルティング傾斜面２２３７の上側端２２３７ａが支持される。前記サプライティルティングカバー２２６０は、前記ティルティング傾斜面２２３７の上側端２２３７ａに支持された状態で、前方にティルティングされうる。
【０２４１】
前記水タンク２１００が水供給アセンブリ２２００に据え置きされるとき、前記水タンク２１００の弁設置部２１１５が前記弁挿入孔２２６１を貫通し、前記ティルティングカバーボディー２２６２を貫通して下側に突出する。前記弁設置部２１１５で水タンク部弁２１５０及び弁サポータ２２５０が互いに干渉し得る。
【０２４２】
そして、前記弁挿入孔２２６１の周りに前記水ベローズ２２４０を前記ティルティングカバーボディー２２６２に固定するための構成が配置される。
【０２４３】
＜水ベローズの構成＞
前記水ベローズ２２４０は、弾性材質で形成される。前記水ベローズ２２４０は、前記サプライティルティングカバー２２６０及びサプライサポートボディー２２３０に固定し、前記水タンクから排出された水を前記サプライサポートボディー２２３０に提供する。
【０２４４】
前記水ベローズ２２４０は、水タンク２１００から排出された水が漏水することを防止する。前記水タンク２１００のティルティング時、前記水ベローズ２２４０が弾性変形して増える。前記水ベローズ２２４０は、水タンクのティルティング時も、前記サプライティルティングカバー２２６０及びサプライサポートボディー２２３０との間を連結する。
【０２４５】
本実施形態における前記水ベローズ２２４０は、ジャバラ管上に形成される。
【０２４６】
前記水ベローズ２２４０の上端は、前記サプライティルティングカバー２２６０に固定し、下端は、サプライサポートボディー２２３０に固定する。
【０２４７】
本実施形態において、前記水ベローズ２２４０の上端を前記サプライティルティングカバー２２６０に固定するためのベローズキャップ２２４２がさらに配置される。
【０２４８】
前記水ベローズ２２４０の上端は、前記弁挿入孔２２６１を介して前記サプライティルティングカバー２２６０の上側に突出する。
【０２４９】
前記ベローズキャップ２２４２は、前記サプライティルティングカバー２２６０の上側に配置され、前記水ベローズ２２４０の上端を前記サプライティルティングカバー２２６０の上側面に加圧する。前記ベローズキャップ２２４２は、締結又は無理に差し込みして、前記サプライティルティングカバー２２６０に固定し得る。
【０２５０】
本実施形態における前記ベローズキャップ２２４２は、締結を介して前記サプライティルティングカバー２２６０に固定する。これは、水ベローズ２２４０の損傷又は破損時、入れ替えを容易にする。
【０２５１】
＜サプライフロータの構成＞
前記サプライフロータ２２２０は、サプライチャンバ２２１１に配置されて、前記サプライチャンバ２２１１の水位に応じて上下方向に移動される。
【０２５２】
前記サプライフロータ２２２０は、水タンクの水がいずれもスチームジェネレータ２３００に移動されることを防止する。前記サプライフロータ２２２０は、水位に応じて上下方向に移動されながら、前記スチームジェネレータ２３００に流動される水の量を調節する。
【０２５３】
前記サプライフロータ２２２０の浮力は、前記水タンク２１００で加えられる圧力より３倍以上であることが好ましい。
【０２５４】
サプライチャンバ２２１１の水位が基準値以上に上昇したとき、前記サプライフロータ２２２０は、弁孔２２５８を閉鎖する。前記弁孔２２５８が閉鎖されると、前記サプライチャンバ２２１１に水が供給されないで、前記サプライチャンバ２２１１内の水は、チャンバハウジングパイプ２２１４を介してスチームジェネレータ２３００に移動される。
【０２５５】
前記サプライチャンバ２２１１における前記スチームジェネレータ２３００に水が移動されただけサプライチャンバ２２１１内の水位が低くなり、前記サプライフロータ２２２０の高さが低くなり、前記弁孔２２５８が開放されうる。
【０２５６】
前記サプライフロータ２２２０は、水より比重の低い材質で形成されたフロータボディー２２２２と、前記フロータボディー２２２２に形成され、上側から下側に凹に形成され、前記サプライサポートボディー２２３０のフロータガイド２２３４が挿入されるガイド挿入溝２２２５と、前記フロータボディー２２２２に形成され、前記ガイド挿入溝２２２５を形成させるサポートボディー挿入部２２２４と、前記フロータボディー２２２２に配置され、前記サプライ流路２２３１の一部を形成する前記弁孔２２５８を開閉させるフロータ弁２２７０とを含む。
【０２５７】
前記サポートボディー挿入部２２２４は、上側から下側に凹に形成され、前記フロータガイド２２３４が挿入される。サプライチャンバ２２１１の水位に応じる前記サプライフロータ２２２０の上昇又は下降時、前記サポートボディー挿入部２２２４は、フロータガイド２２３４に沿って上昇又は下降する。
【０２５８】
前記サポートボディー挿入部２２２４及びフロータガイド２２３４は、互いに対応する形状に形成される。本実施形態におけるフロータガイド２２３４が円筒状に形成されるため、サポートボディー挿入部２２２４も円筒状に形成される。
【０２５９】
前記サポートボディー挿入部２２２４及びフロータガイド２２３４は、上下方向に形成され、側方向には互いに引っ掛かりを形成する。前記サプライフロータ２２２０が最下側に移動されても、前記サポートボディー挿入部２２２４及びフロータガイド２２３４は、側方向に対して互いに引っ掛かりを提供する。
【０２６０】
前記サポートボディー挿入部２２２４及びフロータガイド２２３４のうち少なくとも一部は、同じ高さ内に位置される。サポートボディー挿入部２２２４及びフロータガイド２２３４は、水平方向に少なくとも一部がオーバーラップされる。
【０２６１】
本実施形態における前記サポートボディー挿入部２２２４の直径が、前記フロータガイド２２３４の直径より小さく形成される。そのため、前記サポートボディー挿入部２２２４は、フロータガイド２２３４の内部に位置される。これは、フロータ弁２２７０の設置構造のためのものである。
【０２６２】
前記フロータ弁２２７０は、前記フロータボディー２２２２に配置されたフロータ弁コア２２７２と、前記フロータ弁コア２２７２の上側に結合され、前記ミドル孔２２５８を開閉させるフロータ弁ストッパー２２７８とを含む。
【０２６３】
前記フロータ弁コア２２７２は、前記フロータボディー２２２２に組み立てられる。本実施形態における前記フロータ弁コア２２７２は、前記フロータボディー２２２２を上下方向に貫通するように配置され、前記フロータボディー２２２２は、前記フロータ弁コア２２７２の貫通するコア孔２２２３が形成される。
【０２６４】
前記コア孔２２２３は、前記サポートボディー挿入部２２２４の内側に配置される。
【０２６５】
前記サポートボディー挿入部２２２４を基準に、内側にコア孔２２２３が形成され、外側にガイド挿入溝２２２５が形成される。前記コア孔２２２３及びガイド挿入溝２２２５は、いずれも上下方向に延びて形成される。
【０２６６】
前記サポートボディー挿入部２２２４は、前記フロータボディー２２２２の内部に配置され、前記フロータボディー２２２２と離隔して配置され、内側に前記コア孔２２２３を形成させ、外側に前記ガイド挿入溝２２２５を形成させるサポートボディーインナウォール２２２４ａと、前記サポートボディーインナウォール２２２４ａ及びフロータボディー２２２２を連結し、上側に前記ガイド挿入溝２２２５を形成させるサポートボディーバトムウォール２２２４ｂとを含む。
【０２６７】
前記サポートボディーインナウォール２２２４ａは、上下方向に長い円筒状に形成される。前記サポートボディーバトムウォール２２２４ｂは、上面視、リング状に形成される。
【０２６８】
前記サポートボディーバトムウォール２２２４ｂの内側端は、フロータボディー２２２２と連結され、前記サポートボディーバトムウォール２２２４ｂの外側端は、サポートボディーインナウォール２２２４ａと連結される。
【０２６９】
本実施形態における前記フロータボディー２２２２及びサポートボディー挿入部２２２４は、射出成形を介して一体に製作される。本実施形態と違って、サポートボディー挿入部２２２４を別途製作した後、フロータボディー２２２２の内部に組み立てることもできる。
【０２７０】
前記フロータ弁コア２２７２は、前記コア孔２２２３を上下方向に貫通するように配置される。前記フロータ弁コア２２７２の上端は、サポートボディーインナウォール２２２４ａの上端より上側に突出し、フロータ弁コア２２７２の下端は、サポートボディーインナウォール２２２４ａの下端より下側に突出する。
【０２７１】
前記フロータ弁コア２２７２の下端に半径方向の外側に突出し、前記サポートボディーバトムウォール２２２４ｂの下端に支持されるコア支持端２２７３が形成される。前記コア支持端２２７３は、サポートボディーバトムウォール２２２４ｂより低く位置される。
【０２７２】
前記フロータボディー２２２２の底面から上側に凹に形成されたフロータボディー溝２２２６が形成される。前記フロータボディー溝２２２６は、コア孔２２２３と連通され、コア孔２２２３の下側に形成される。前記フロータボディー溝２２２６は、サポートボディーバトムウォール２２２４ｂより低く位置される。
【０２７３】
前記コア支持端２２７３は、前記フロータボディー溝２２２６に挿入され、コア支持端２２７３は、前記フロータボディー２２２２の底面の下側に突出せずに、前記フロータボディー溝２２２６に隠匿される。
【０２７４】
前記フロータ弁コア２２７２の上端にフロータ弁ストッパー２２７８が組み立てられる。前記フロータ弁ストッパー２２７８は、フロータ弁コア２２７２に組み立てられた状態で、サポートボディーインナウォール２２２４ａの上端に支持される。
【０２７５】
前記フロータ弁ストッパー２２７８は、上側の尖った三角錐状であり、尖った先端２２７９が前記弁孔２２５８に挿入されうる。前記先端２２７９は、前記フロータボディー２２２２の上側端よりさらに上側に突出する。
【０２７６】
本実施形態において、前記水タンク２１００からサプライチャンバ２１１１に流動される水は、２回の断続過程を経る。
【０２７７】
先ず、前記水タンク弁２１５０が弁孔２１１１を開閉して、水の流動を断続する。次に、フロータ弁２２７０がミドル孔２２５８を開閉して、水の流動を断続する。
【０２７８】
前記水タンク２１００から排出された水が２回の開閉過程を経てサプライチャンバ２１１１に流動されるため、水の過供給を防止することができる。具体的には、前記サプライフロータ２２２０がさらに水の供給を制御するため、スチームジェネレータ２３００に水が過供給されることを遮断することができる。
【０２７９】
本実施形態と違って、サプライチャンバ２２１１の内部に水の水位を感知する水位センサーを配置し、チャンバハウジングパイプ２２１４に開閉弁を配置して、スチームジェネレータ２３００に提供される水の供給量を調節することもできる。かかる構造は、水位センサー及び開閉弁をさらに必要とするため、製作コストが上昇し、電気信号を介して制御するため、さらなるケーブルの結線構造を要する。
【０２８０】
本実施形態では、前記スチームジェネレータ２３００に提供される水の供給量をサプライチャンバ２２１１の水位に応じて上昇又は下降するサプライフロータ２２２０を介して制御するため、スチームジェネレータ２３００の内部の水位調節及び水供給量を機構的に具現することができる。
【０２８１】
図１３は、図３に示されたロアキャビネットの内部が示された正面図である。図１４は、図１３に示された水供給アセンブリ及びスチームジェネレータが示された断面図である。図１５は、図１４の斜視図である。図１６は、本発明の一実施形態による排水アセンブリが示された平面図である。図１７は、図１６に示された排水アセンブリの正断面図である。図１８は、図１６に示された排水アセンブリの右側面図である。図１９は、図５に示されたスチームジェネレータの分解斜視図である。図２０は、図１９に示されたスチームジェネレータの水位が表示された例示図である。図２１は、室内機が傾いたとき、スチームジェネレータの内部の水位が表示された例示図である。図２２は、本発明の一実施形態による水パイプの管径、配置及びドレンポンプに印加される電圧による排水速度を示したグラフである。図２３は、本発明の一実施形態による水パイプの管径及び配置によるスチームジェネレータの内部、給水流路及び排水流路の温度変化を示したグラフである。図２４は、本発明の一実施形態によるドレンポンプの作動周期によるスケールの発生及びスチームヒータの温度と、洗濯機でのスケールの発生及びスチームヒータ温度を比較して示したグラフである。図２５は、本発明の一実施形態によるドレンポンプの作動周期によるヒータの内部温度及び熱伝逹率と、洗濯機でのヒータの内部温度及び熱伝逹率を比較して示したグラフである。
【０２８２】
＜＜スチームジェネレータの構成＞＞
前記スチームジェネレータ２３００は、前記水供給アセンブリ２２００から水を供給されてスチームを生成する。前記スチームジェネレータ２３００は、水を加熱してスチームを生成させるため、殺菌済みスチームを提供することができる。
【０２８３】
前記スチームジェネレータ２３００は、外形を形成し、内部に水が貯蔵される空間を形成するスチームハウジング２３１０と、前記スチームハウジング２３１０の内部に配置され、印加された電源によって熱を発生させるスチームヒータ２３２０と、前記スチームハウジング２３１０の周面のうち一側に配置され、外部からスチームハウジング２３１０の内部に水が流入するか、スチームハウジング２３１０の内部の水が外部に流出する連通孔２３１４ａが形成される水パイプ２３１４と、空気吸入部２３１４と一定間隔離隔した前記スチームハウジング２３１０の上部面に配置され、スチームハウジング２３１０の内部で生成されたスチームと空気吸入部２３１４を介して流入した空気を外部に吐出するスチーム吐出口２３１６ａが形成されたスチーム吐出部２３１６と、前記スチームハウジング２３１０に配置され、前記加湿ファン２５００と連結され、前記加湿ファン２５００から前記キャビネットアセンブリ１００の内部の濾過空気を供給される空気吸入部２３１８とを含む。
【０２８４】
前記スチームジェネレータ２３００は、前記スチームハウジング２３１０の内部の最低水位（ＷＬ）を感知する第１の水位センサー２３６０と、前記スチームハウジング２３１０の内部の最高水位（ＷＨ）を感知する第２の水位センサー２３７０と、前記スチームハウジング２３１０の内部の過熱を防止するサーミスタ２３８０をさらに含む。
【０２８５】
前記スチームハウジング２３１０は、外部と密閉した構造である。前記水パイプ２３１４、スチーム吐出部２３１６、空気吸入部２３１８は、外部と連通される。前記スチームハウジング２３１０は、ベース１３０に設置される。
【０２８６】
前記スチームハウジング２３１０は、スチームヒータ２３２０によって加熱された水を貯蔵するため、耐熱材質で形成されることが好ましい。本実施形態における前記スチームハウジング２３１０は、ＳＰＳ材質又はＰＰＳ材質で形成されうる。前記スチームハウジング２３１０は、アッパスチームハウジング２３４０及びロアスチームハウジング２３５０を含む。
【０２８７】
前記アッパスチームハウジング２３４０は、下側が開放された形態であり、下側から上側に凹に形成される。前記ロアスチームハウジング２３５０は、上側が開放された形態であり、下側から下側に凹に形成される。アッパスチームハウジング２３４０とロアスチームハウジング２３５０は、超音波融着によって結合し得る。
【０２８８】
本実施形態における前記水パイプ２３１４は、ロアスチームハウジング２３５０に配置され、前記スチーム吐出部２３１６及び空気吸入部２３１８は、前記アッパスチームハウジング２３４０に配置される。
【０２８９】
前記水パイプ２３１４は、水供給アセンブリ２２００のチャンバハウジングパイプ２２１４より低く配置される。前記水パイプ２３１４及びチャンバハウジングパイプ２２１４の高低差によって、前記チャンバハウジングパイプ２２１４の水が自重によって前記水パイプ２３１４に流動される。
【０２９０】
水パイプ２３１４は、スチームハウジング２３１０の内部で加熱された水が、水パイプ２３１４を介して逆流しないようにスチームハウジング２３１０の周面の一側に配置される。
【０２９１】
図１６、図１８、図１９、図２２、図２３を参照すれば、本実施形態による水パイプ２３１４は、水供給アセンブリ２２００とドレンアセンブリ２７００に向かうスチームハウジング２３１０の周面の後方に配置される。
【０２９２】
【表１】
2021516328.tif 000003
【０２９３】
図２２の場合、水パイプ２３１４がスチームハウジング２３１０の一側に配置される位置、ドレンポンプ２７１０に入力される電圧及び、水パイプ２３１４の管径を異にするときに把握される排水速度を示したグラフである。前記における水パイプ２３１４の配置は、スチームハウジング２３１０の前後方向を基準に、空気吸入部２３１８が配置される後方（Ｂａｃｋ）、スチーム吐出部２３１６が配置される前方（Ｆｒｏｎｔ）及び、前方と後方との間に形成される中央（Ｃｅｎｔｅｒ）の配置が基準となる。ただし、水パイプ２３１４は、スチームハウジング２３１０の内部の水が排水される部分であって、スチームハウジング２３１０の周面の下端部に配置される。
【０２９４】
上記表１は、図２２のグラフで把握されるデータを整理した表である。
【０２９５】
図２２と上記表１を参照すれば、水パイプ２３１４は、スチームハウジング２３１０の後方に配置されるとき、スチームハウジング２３１０の内部の水が排水される速度が早くなることを把握することができる。これは、スチームハウジング２３１０の後方に空気吸入部２３１８が形成され、スチームハウジング２３１０の内部の水を下側に圧力を加える構造なのが影響を及ぼすことができる。また、ドレンポンプ２７１０がスチームハウジング２３１０の後方に配置される構造なのが影響を及ぼすことができる。
【０２９６】
また、図２２と上記表１を参照すれば、水パイプ２３１４は、ドレンポンプ２７１０に入力される電圧が大きくなるほど、スチームハウジング２３１０の内部の水が排水される速度が早くなることを把握することができる。ただし、水パイプ２３１４の管径は、排水速度に大きな影響を及ぼさないことを把握することができる。
【０２９７】
本実施形態による水パイプ２３１４は、水供給アセンブリ２２００よりドレンアセンブリ２７００に隣接したスチームハウジング２３１０の周面の一側に配置される。よって、水供給アセンブリ２２００と連結される第１の連結管２７３１がドレンアセンブリ２７００と連結される第３の連結管２７３３より長く形成される。
【０２９８】
本実施形態における前記第１の水位センサー２３６０、第２の水位センサー２３７０及びサーミスタ２３８０は、前記アッパスチームハウジング２３４０に配置される。このために、前記アッパスチームハウジング２３４０には、前記第１の水位センサー２３６０が設置される第１の水位センサー設置部２３４２と、前記第２の水位センサー２３７０が設置される第２の水位センサー設置部２３４４と、前記サーミスタ２３８０が設置されるサーミスタ設置部２３４６とが形成される。
【０２９９】
第１の水位センサー２３６０、第２の水位センサー２３７０及びサーミスタ２３８０は、スチームハウジング２３１０の上部面からスチームハウジング２３１０の内部に突出するように配置される。第１の水位センサー２３６０、第２の水位センサー２３７０及びサーミスタ２３８０は、空気吸入部２３１８の周りに配置されうる。第１の水位センサー２３６０、第２の水位センサー２３７０及びサーミスタ２３８０は、空気吸入部２３１８とスチーム吐出部２３１６との間に配置されうる。
【０３００】
したがって、空気吸入部２３１８を介して流入した空気は、第１の水位センサー２３６０、第２の水位センサー２３７０及びサーミスタ２３８０の構造物によってスチームハウジング２３１０の内部に存在する水の上側に流動する面積が増加し得る。つまり、空気吸入部２３１８を介して流入した空気は、空気吸入部２３１８とスチーム吐出部２３１６との間に配置される第１の水位センサー２３６０、第２の水位センサー２３７０及びサーミスタ２３８０の構造物を迂回しながら流動することができる。これは、スチームハウジング２３１０の内部に存在する水の上側に流動する空気の流路が拡大する効果を有し得て、スチーム吐出部２３１６に吐出される空気の加湿力が増大し得る。前記アッパスチームハウジング２３４０に形成された空気吸入部２３１８及びスチーム吐出部２３１６は、高さが異なって形成される。前記スチーム吐出部２３１６及び空気吸入部２３１８は、高さの差（ＳＨ）を形成し、前記スチーム吐出部２３１６が空気吸入部２３１８より高さの差（ＳＨ）だけ高く配置される。
【０３０１】
アッパスチームハウジング２３４０は、スチーム吐出部２３１６が形成される部分において、内部空間が上側に凸む陥没部２３１７を形成することができる。前記陷沒部２３１７が上側に形成される高さがスチーム吐出部２３１６及び空気吸入部２３１８は、高さの差（ＳＨ）を形成することができる。
【０３０２】
第２の水位センサー２３７０は、アッパスチームハウジング２３４０の陷沒部２３１７が形成されたスチーム吐出部２３１６の一側に配置されうる。第２の水位センサー２３７０がスチームハウジング２３１０の内部空間の下側に突出した長さは、空気吸入部２３１８から上側に離隔したスチーム吐出部２３１６までの高さ（ＳＨ）と、第２の水位センサー２３７０が感知する最高水位（ＷＨ）から上側に離隔した空気吸入部２３１８までの高さ（ＡＨ）を足した長さに形成されうる。
【０３０３】
つまり、陷沒部２３１７が上下に形成する長さによって第２の水位センサー２３７０が突出する長さを一定以上に確保することができるため、既存の水位センサーを活用して、スチームジェネレータ２３００の内部に存在する水の水位を感知することができる。これは、アッパスチームハウジング２３４０の内部のスチームが、前記スチーム吐出部２３１６に容易に流動することができる構造を形成するためである。前記スチーム吐出部２３１６が空気吸入部２３１８より高く形成されると、密度の低いスチームがスチーム吐出部２３１６の下側の空間に容易に流動することができる。
【０３０４】
本実施形態における前記第１の水位センサー２３６０は、スチームジェネレータ２３００の低水位を感知するため、前記空気吸入部２３１８の周面に設置される。前記第２の水位センサー２３７０は、スチームジェネレータ２３００の高水位を感知するため、前記スチーム吐出部２３１６の周りに設置される。
【０３０５】
前記第１の水位センサー２３６０及び第２の水位センサー２３７０が高低差を形成するため、第１の水位センサー２３６０及び第２の水位センサー２３７０の電極の長さを最小化することができる。
【０３０６】
前記第１の水位センサー２３６０は、第１−１の水位感知部２３６１及び第１−２の水位感知部２３６２を含む。前記第１−１の水位感知部２３６１及び第１−２の水位感知部２３６２の下端は、同じ高さに配置される。本実施形態における前記第１−１の水位感知部２３６１及び第１−２の水位感知部２３６２は、電極である。前記第１−１の水位感知部２３６１及び第１−２の水位感知部２３６２に水が触れると、制御部がこれを感知する。
【０３０７】
第１の水位センサー２３６０は、スチームハウジング２３１０の内側におけるスチームヒータ２３２０の一側に配置される。本実施形態によるスチームハウジング２３１０には、スチームヒータ２３２０と第１の水位センサー２３６０との間に配置される隔壁２３５９が形成される。隔壁２３５９は、ロアスチームハウジング２３５０の底面２３５２ａから上側に突出するように形成されうる。隔壁２３５９は、第１の水位センサー２３６０とスチームヒータ２３２０との間に配置される。よって、第１の水位センサー２３６０は、隔壁２３５９とロアスチームハウジング２３５０の周面との間に配置されて、スチームヒータ２３２０によって発生したバブルによって第１の水位センサー２３６０が誤作動することを防止することができる。
【０３０８】
本実施形態における前記第１−１の水位感知部２３６１及び第１−２の水位感知部２３６２の下端は、スチームジェネレータ２３００を駆動させるための最低水位（ＷＬ）である。つまり、前記第１−１の水位感知部２３６１及び第１−２の水位感知部２３６２の下端２３６１ａ、２３６２ａである、第１の水位センサー２３６０が感知する最低水位（ＷＬ）は、スチームヒータが動作可能な最低水位と、スチームヒータ２３２０によって発生するバブルによる誤作動を防止できる水位を考慮して設定されうる。
【０３０９】
前記第１−１の水位感知部２３６１及び第１−２の水位感知部２３６２の下端２３６１ａ、２３６２ａより水位が低い場合、スチームヒータ２３２０の損傷が発生し得る。そのため、前記第１−１の水位感知部２３６１及び第１−２の水位感知部２３６２の下端２３６１ａ、２３６２ａより水位が低くなれば、スチームヒータ２３２０に提供される電源を遮断する。
【０３１０】
本実施形態における前記第２の水位センサー２３７０は、水が触れるとき、これを感知する電極が使用される。前記第２の水位センサー２３７０の下端２３７０ａは、スチームジェネレータ２３００の最高水位（ＷＨ）を感知する。前記スチームジェネレータ２３００の水位が第２の水位センサー２３７０の下端２３７０ａより高い場合、スチームヒータ２３２０の作動によって湯が沸いて溢れることがある。前記水位が第２の水位センサー２３７０の下端２３７０ａに触れると、前記スチームヒータ２３２０の作動を停止させる。
【０３１１】
前記最高水位（ＷＨ）は、室内機が傾くことを考慮した高さである。つまり、前記室内機がいずれか一方向に傾いたとき、前記スチームハウジング２３１０の内部の水位は、いずれか一方が高いことがある。本実施形態では、前記室内機がいずれか一方に３度傾き、スチームジェネレータ２３００の最大作動時、前記スチームハウジング２３１０の外に水が溢れない高さを前記最高水位（ＷＨ）に設定する。前記最高水位（ＷＨ）が到逹したとき、前記スチームヒータ２３２０の作動を停止させ、前記ドレンアセンブリ２７００を作動させて、前記スチームハウジング２３１０の内部の水を排水することができる。
【０３１２】
前記スチームジェネレータ２３００の適正水位は、前記第２の水位センサー２３７０の下端２３７０ａより低く、前記第１−１の水位感知部２３６１及び第１−２の水位感知部２３６２の下端２３６１ａ、２３６２ａより高く形成されなければならない。本実施形態では、これを適正水位と定義する。
【０３１３】
空気吸入部２３１８は、第２の水位センサー２３７０が感知する最高水位（ＷＨ）より上側に設定間隔（ＡＨ）が離隔して形成することができる。空気吸入口２３１８ａは、スチームハウジング２３１０の内部の最高水位（ＷＨ）を感知する第２の水位センサー２３７０の下端２３７０ａより上側に離隔して配置される。前記設定間隔（ＡＨ）は、空気吸入部２３１８から流入する空気の流動によってスチームハウジング２３１０の内部に貯蔵された水が上下方向に震動できる高さを考慮した間隔であってもよい。空気吸入部２３１８から流入する空気の流動によってスチームハウジング２３１０の内部に貯蔵された水が上下方向に３ｍｍ以下に震動することができる。
【０３１４】
前記サーミスタ２３８０の下端２３８０ａは、前記適正水位内に配置される。前記サーミスタ２３８０は、前記スチームジェネレータ２３００の内部温度が設定値以上に上昇する場合、これを感知して、前記スチームヒータ２３２０の作動を停止させる。
【０３１５】
一定水準以上の加湿量を確保するためには、多量の空気がスチームハウジング２３１０の内部に流入して、スチーム吐出部２３１６に吐出されることが有利であるため、空気吸入部２３１８の面積は、広いほど有利である。また、加湿運転が終了した後、スチームハウジング２３１０の内部を早期に乾燥するためにでも、多量の空気がスチームハウジング２３１０の内部に流動するとき、乾燥時間が短縮するため、空気吸入部２３１８の面積は、広いほど有利である。
【０３１６】
ただし、空気吸入部２３１８に形成される空気吸入口２３１８ａの面積は、加湿ファン２５００の大きさを考慮して設定されうる。空気吸入口２３１８ａの面積は、加湿ファン２５００を収容する加湿ファンハウジング２５３０の流路断面によって決定されうるし、具体的には、加湿インペラ２５１０の作動によって濾過空気をスチームジェネレータ２３００に案内する第２の加湿ファンハウジング２５６０の面積を考慮して設定されうる。つまり、加湿ファン２５００によってスチームジェネレータ２３００に流動する空気の流速が設定水準を満たすためには、第２の加湿ファンハウジング２５６０を介して排出される空気の流速が維持されるように、空気吸入口２３１８ａの面積が加湿ファン２５００の大きさを考慮して設定されうる。
【０３１７】
ただし、ベース１３０の内側に配置される加湿ファン２５００は、加湿インペラ２５１０の大きさ及び加湿ファンハウジング２５３０の大きさが限定されうる。よって、空気吸入口２３１８ａの面積も、加湿インペラ２５１０の大きさ又は第２の加湿ファンハウジング２５６０の面前を考慮して限定されうる。
【０３１８】
一実施形態として、スチームジェネレータ２３００の内部を乾燥するために、加湿ファン２５００によって吐出される空気の流速が０．６５ＣＭＭ以上を形成するように、空気吸入口２３１８ａの面積を形成するならば、ベース１３０の内側に配置される加湿インペラ２５１０の直径が１２０ｍｍであるとき、空気吸入口２３１８ａの面積は、４５００ｍｍ２〜４７００ｍｍ２を形成することができる。
【０３１９】
本実施形態における前記空気吸入部２３１８は、前記スチーム吐出部２３１６より広く形成される。本実施形態による空気吸入部２３１８に形成される空気吸入口２３１８ａの面積は、前記スチーム吐出部２３１６に形成されるスチーム吐出口２３１６ａの面積より大きく形成される。スチーム吐出口２３１６ａの面積が空気吸入口２３１８ａの面積より小さい場合、スチーム吐出口２３１６ａを介して流動する加湿空気の流速を確保することができる。
【０３２０】
加湿ファン２５００によって流動する空気の流速は、空気吸入口２３１８ａで流動する空気の流速に比べて、スチームハウジング２３１０を経てスチーム吐出口２３１６ａを流動する空気の流速が相対的に遅く形成されうる。スチーム吐出口２３１６ａの場合、加湿ファン２５００と遠距離に形成され、空気吸入口２３１８ａを通した空気は、流路断面積が急激に大きなスチームハウジング２３１０の内部を経てスチーム吐出口２３１６ａに流動するため、空気吸入口２３１８ａに比べて相対的に流速が遅く形成されうる。
【０３２１】
このようなスチーム吐出口２３１６ａを介して流動する空気の流速を空気吸入口２３１８ａで流動する空気の流速に類似に形成するように、スチーム吐出口２３１６ａの面積を空気吸入口２３１８ａに比べて狭く形成することができる。
【０３２２】
一実施形態において、スチームジェネレータ２３００の内部を乾燥するために、加湿ファン２５００によって吐出される空気の流速が０．６５ＣＭＭ以上を形成するように、空気吸入口２３１８ａの面積を４６００ｍｍ２に形成するとき、スチーム吐出部２３１６の面積を２３００ｍｍ２〜３０６７ｍｍ２に形成することができる。このとき、最高水位（ＷＨ）から空気吸入口２３１８ａまでの高さ（ＡＨ）は、３ｍｍ以上に形成されうる。
【０３２３】
スチーム吐出口２３１６ａの面積は、空気吸入口２３１８ａの面積より１／２〜２／３の大きさで形成されうる。前記水パイプ２３１４は、前記スチームハウジング２３１０の内部と連通される。前記水パイプ２３１４を介して前記水供給アセンブリ２３００の水が供給されうる。そして、スチームハウジング２３１０の内部における前記水パイプ２３１４を介して排出された水は、ドレンアセンブリ２７００に流動されうる。
【０３２４】
本実施形態によるスチームジェネレータ２３００は、一つの水パイプ２３１４を水の供給及び排水に使用する特徴がある。一般に、スチームを生成する装置の場合、水を供給されるパイプと水を排出するパイプを共に備える。
【０３２５】
前記水パイプ２３１４は、水平方向に配置される。前記水パイプ２３１４は、前記ロアスチームハウジング２３５０の内部及び外部を連通させる。前記水パイプ２３１４は、前記ロアスチームハウジング２３５０から前記水供給アセンブリ２３００側に突出する。前記水パイプ２３１４の外側端は、前記ロアスチームハウジング２３５０の側面より側方向にさらに突出する。
【０３２６】
前記水パイプ２３１４は、チャンバハウジングパイプ２２１４と連結され、左右方向に配置される。本実施形態における前記水パイプ２３１４は、内部の空いたパイプ状である。
【０３２７】
図２３の場合、水パイプ２３１４の管径と、水パイプ２３１４の配置を異にしながら、スチームヒータ２３２０でスチームジェネレータに貯蔵された水を加熱するとき、第１の連結管２７３１に形成される給水流路と、第３の連結管２７３３に形成される排水流路に存在する水の温度変化を示した図面である。前記における水パイプ２３１４の配置は、スチームハウジング２３１０の前後方向を基準に、空気吸入部２３１８が配置される後方（Ｂａｃｋ）、スチーム吐出部２３１６が配置される前方（Ｆｒｏｎｔ）が基準となる。
【０３２８】
図２３を参照すれば、スチームヒータ２３２０でスチームジェネレータに貯蔵された水が加熱されるとき、第３の連結管２７３３に形成される排水流路に比べて、第１の連結管２７３１に形成される給水流路上の温度変化が大きく形成されうる。第１の連結管２７３１が上側に傾斜して形成され、上側に延びる流路を形成するに伴い、スチームジェネレータ２３００の内部で加熱された水が上側に一部流動することができ、給水流路上の温度変化が生じ得る。
【０３２９】
スチームヒータ２３２０でスチームジェネレータに貯蔵された水が加熱されるとき、給水流路又は排水流路上の温度が変更されることは、スチームジェネレータの加熱された水が給水流路又は排水流路に逆流することによるものである。よって、水パイプ２３１４の配置及び管径を調節して、スチームジェネレータ２３００で加熱された水が給水流路や排水流路を介して逆流しない水パイプの管径や水パイプの配置を適用することが好ましい。
【０３３０】
水パイプ２３１４は、管径が小さいほど、給水流路及び排水流路で温度変化が少し起こることを把握することができる。図２３を参照すれば、水パイプ２３１４は、管径がΦ９であるときより管径がΦ７であるとき、給水流路及び排水流路で温度変化が少し起こることを把握することができる。管径が小さいほど、流路抵抗が大きく形成されるため、スチームジェネレータ２３００から水パイプ２３１４に流動する水が少なく形成されて、給水流路又は排水流路上の温度変化が少し形成されうる。
【０３３１】
水パイプ２３１４は、スチームハウジング２３１０の後方に配置されるとき、給水流路及び排水流路で温度変化が少し起こることを把握することができる。図２３を参照すれば、水パイプ２３１４は、スチームハウジング２３１０の前方に配置されるときよりスチームハウジング２３１０の後方に配置されるとき、給水流路及び排水流路で温度変化が少し起こることを把握することができる。スチームジェネレータ２３００で逆流する水は、上側に延びる給水流路に流動することができ、スチームハウジング２３１０の後方に配置されるとき、水供給アセンブリ２２００との距離が遠くなるにつれて、給水流路を形成する第１の連結管２７３１の長さが長くなる。給水流路の長さが長いほど、給水流路上の流路抵抗が大きく形成されるため、スチームジェネレータ２３００から水パイプ２３１４に流動する水が少なく形成されて、給水流路又は排水流路上の温度変化が少し形成されうる。また、本発明による水パイプ２３１４は、３方向パイプ２７３５を介して第１の連結管２７３１及び第３の連結管２７３３と同時に連結されることによって、水パイプ２３１４を介して逆流する水が供給流路の形成された第１の連結管２７３１に流動するようになるため、ドレンポンプ２７１０と連結される第３の連結管２７３３に逆流する水の移動が遮断されうる。つまり、３方向パイプ２７３５を介して、第１の連結管２７３１と第３の連結管２７３３及び水パイプ２３１４が連結されるため、排水流路が形成される第３の連結管２７３３で逆流を最小化して、排水流路上の温度変化を最小化することができる。また、水パイプ２３１４をスチームハウジング２３１０の後方に配置して、給水流路の形成された第１の連結管２７３１で逆流を最小化して、給水流路上の温度変化を最小化することができる。
【０３３２】
前記水パイプ２３１４は、前記スチームハウジング２３１０の前後方向を基準に後方側に配置される。前記水パイプ２３１４は、ドレンアセンブリと近く配置されることが好ましい。前記水パイプ２３１４は、ドレンアセンブリ２７００の温度上昇を抑制するのに効果的である。
【０３３３】
水パイプ２３１４は、スチームジェネレータ２３００の内部の水が水タンク２１００の方向に逆流することを防止するように、水タンク２１００又は水供給アセンブリ２２００よりドレンアセンブリ２７００に近く配置される。
【０３３４】
水パイプ２３１４は、水連結管２７３０を介して水供給アセンブリ２２００とドレンアセンブリ２７００に連結される。図１６を参照すれば、水連結管２７３０は、水供給アセンブリ２２００と連結される第１の連結管２７３１、ドレンアセンブリ２７００と連結される第３の連結管２７３３、水パイプ２３１４と連結される第２の連結管２７３２及び、第１の連結管２７３１、第２の連結管２７３２及び第３の連結管２７３３と連結される３方向パイプ２７３５とを含む。
【０３３５】
スチームジェネレータ２３００の内部の水が水タンク２１００の方向に逆流することを防止するように、スチームジェネレータ２３００と水供給アセンブリ２２００とを連結する第１の連結管２７３１が、スチームジェネレータ２３００とドレンアセンブリ２７００とを連結する第３の連結管２７３３より流路抵抗が大きく形成する。
【０３３６】
本実施形態による第１の連結管２７３１は、第３の連結管２７３３より流路抵抗が大きいように、第３の連結管２７３３より長く形成されうる。このとき、第１の連結管２７３１と第３の連結管２７３３は、互いに同様な管径を有し得る。本実施形態による第１の連結管２７３１の長さ（Ｄ１）は、第３の連結管２７３３の長さ（Ｄ２）の１．５倍〜２．５倍の長さに形成されうる。第１の連結管２７３１が第３の連結管２７３３より流路抵抗が大きく形成されるように、第１の連結管２７３１の長さ（Ｄ１）は、第３の連結管２７３３の長さ（Ｄ２）より１．５倍より長く形成されることが好ましい。ただし、第１の連結管２７３１の長さが長くなり過ぎると、第１の連結管２７３１の内部に収容される水の量が多くなるため、第１の連結管２７３１の長さ（Ｄ１）が第３の連結管２７３３の長さ（Ｄ２）の２．５倍より短く形成されることが好ましい。
【０３３７】
図１８を参照すれば、第１の連結管２７３１と第３連結管２７３３は、水が流動する方向から下側に傾斜して配置されうる。第２の連結管２７３２は、地面と平行に配置されうる。第１の連結管２７３１と第３の連結管２７３３は、地面と所定の傾斜角（θ１、θ２）を有し、水の流動方向の下側に傾斜して形成されうる。
【０３３８】
スチームジェネレータ２３００で逆流する水や、水供給アセンブリ２２００から供給される水に気泡又は空気が流入する場合、水連結管２７３０の内部に空気が配置されうる。この場合、水連結管２７３０の形成する流路が地面と水平である場合、空気が移動することができなくて、水連結管２７３０の内部の水の流動を妨げる要素に作用し得る。よって、本実施形態による第１の連結管２７３１と第３の連結管２７３３は、水の流動する方向から下側に傾斜して配置させて、水連結管２７３０の内部に流入した空気が水供給アセンブリ２２００に流動可能にし、第１の連結管２７３１の流路抵抗を高くして、スチームジェネレータ２３００に逆流した水の流動を制限することができる。
【０３３９】
前記所定の傾斜角（θ１、θ２）は、流路抵抗とベース１３０の内部空間を考慮して、８度〜１２度に形成されうるし、第１の連結管２７３１が地面と形成する傾斜角（θ１）と、第３の連結管２７３３が地面と形成する傾斜角（θ２）は、前記所定の傾斜角範囲で互いに同様であるか相違するように形成されうる。前記ロアスチームハウジング２３５０に前記スチームヒータ２３２０が設置される。前記ロアスチームハウジング２３５０の背面に前記スチームヒータ２３２０が設置されるスチームヒータ設置部２３５２が配置される。本実施形態における前記スチームヒータ設置部２３５２は、前記ロアスチームハウジング２３５０を貫通するスチームヒータ設置孔２３５２ａを含む。つまり、ロアスチームハウジング２３５０の後方面には、スチームヒータ２３２０が貫通するスチームヒータ設置孔２３５２ａが形成される。前記スチームヒータ２３２０は、前記スチームヒータ設置部２３５２を貫通し、ヒータ部が前記ロアスチームハウジング２３５０の内部に配置される。
【０３４０】
前記スチームヒータ２３２０は、並列に配置された第１のヒータ部２３２１及び第２のヒータ部２３２２と、前記第１のヒータ部２３２１及び第２のヒータ部２３２２とが結合し、前記スチームヒータ設置部２３５２に結合し、スチームハウジング２３１０の内部に配置される前記第１のヒータ部２３２１及び第２のヒータ部２３２２をそれぞれ支持するヒータマウント２３５４と、前記第１のヒータ部２３２１及び第２のヒータ部２３２２に提供される電源を遮断するヒューズ（未図示）とを含む。
【０３４１】
本実施形態における前記第１のヒータ部２３２１及び第２のヒータ部２３２２は、シースヒータ（ｓｈｅａｔｈ  ｈｅａｔｅｒ）が使用される。本実施形態によるスチームヒータ２３２０は、シースヒータを使用して、スチームハウジング２３１０の周面に形成されるスチームヒータ設置部２３５２を介して側面に設置される。本実施形態によるスチームヒータ２３２０は、スチームハウジング２３１０の内側底面から一定間隔離隔した位置に設置される。よって、底面に設置されるＰＴＣヒータに比べて、水との接触面積が大きく形成されて、スチームハウジング２３１０の内部に貯蔵された水を早期に加熱することができる。
【０３４２】
前記第１のヒータ部２３２１及び第２のヒータ部２３２２は、それぞれ独立して作動することができる。例えば、第１のヒータ部２３２１のみに電源が印加されて発熱されうるし、前記第２のヒータ部２３２２のみに電源が印加されて発熱されうるし、前記第１のヒータ部２３２１及び第２のヒータ部２３２２の両方に電源が印加されて発熱されうる。
【０３４３】
第１のヒータ部２３２１と第２のヒータ部２３２２それぞれは、スチームハウジング２３１０に装着されるとき、スチームハウジング２３１０の内部に配置されて、スチームハウジング２３１０の内部に存在する水を加熱する発熱部２３２１ｂ、２３２２ｂと、スチームハウジング２３１０の外部に配置されて、前記発熱部２３２１ｂ、２３２２ｂに電源を印加する電源印加部２３２１ｃ、２３２２ｃを含んでいてもよい。前記第１のヒータ部２３２１及び第２のヒータ部２３２２は、いずれも「Ｕ」状に形成される。
【０３４４】
前記第１のヒータ部２３２１及び第２のヒータ部２３２２の各曲線部は、スチーム吐出部２３１６側に配置される。前記第１のヒータ部２３２１及び第２のヒータ部２３２２は、同じ平面上に配置される。前記第１のヒータ部２３２１及び第２のヒータ部２３２２の上側端２３２１ａ、２３２２ａは、前記最低水位（ＷＬ）と同様であるか、前記最低水位（ＷＬ）より低く配置されうる。
【０３４５】
本実施形態では、室内機が傾くことを考慮して、前記第１のヒータ部２３２１及び第２のヒータ部２３２２の上側端２３２１、２３２２ａが前記最低水位（ＷＬ）より低く配置される。
【０３４６】
室内機のベース１３０は、地面と水平に設置されなければならないが、設置誤りによって前、後、左、右の方向のうち少なくともいずれか一方に傾いてもよい。前記室内機がいずれか一方に傾く場合も、前記第１のヒータ部２３２１及び第２のヒータ部２３２２の上側端２３２１ａ、２３２２ａは、水面の外に露出しないことが好ましい。
【０３４７】
このために、前記第１のヒータ部２３２１の上側面２３２１ａ及び最低水位（ＷＬ）との間に安全水位（ＷＳ）が形成されうる。前記第２のヒータ部２３２２の上側面２３２２ａ及び最低水位（ＷＬ）との間に安全水位（ＷＳ）が形成されうる。
【０３４８】
そのため、前記最低水位（ＷＬ）より安全水位（ＷＳ）だけ下側に前記第１のヒータ部２３２１の上側面２３２１ａ及び第２のヒータ部２３２２の上側面２３２２ａが位置される。本実施形態における前記安全水位（ＷＳ）は、６ｍｍと形成される。
【０３４９】
前記第１のヒータ部２３２１及び第２のヒータ部２３２２の発熱容量は、相違する。前記第１のヒータ部２３２１の長さが第２のヒータ部２３２２の長さがより短く形成される。前記第１のヒータ部２３２１は、前記第２のヒータ部２３２２の内側に配置される。
【０３５０】
本実施形態における前記第１のヒータ部２３２１の容量は、４４０Ｗであり、前記第２のヒータ部２３２２の容量は、５６０Ｗである。前記第１のヒータ部２３２１及び第２のヒータ部２３２２が共に作動するとき、１ｋＷの最大出力を提供する。
【０３５１】
互いに異なる容量を有する第１のヒータ部２３２１と第２のヒータ部２３２２は、独立して作動されて、外部に吐出される加湿量を調節することができる。つまり、第１のヒータ部２３２１のみを作動するときに比べて、第２のヒータ部２３２２のみを作動するときの加湿量が多くなり得る点から、第１のヒータ部２３２１と第２のヒータ部２３２２の作動を調節して、吐出される加湿量を調節することができる。また、さらに多い加湿量のために、第１のヒータ部２３２１と、第２のヒータ部２３２２を同時に作動することも可能である。
【０３５２】
前記第１のヒータ部２３２１は、加湿運転されるときに作動される。加湿アセンブリ２０００をスチーム殺菌するとき、前記第１のヒータ部２３２１及び第２のヒータ部２３２２が同時に作動される。
【０３５３】
前記スチームジェネレータ２３００の正常作動時、前記スチームハウジング２３１０の内部温度は、１０５度内外に制御される。前記スチームジェネレータ２３００が加熱されると、貯蔵された湯が沸いてバブルを発生させ、前記第２の水位センサー２３７０がこれを感知してスチームジェネレータ２３００の過熱を遮断する。前記スチームジェネレータ２３００の過熱時、前記第２の水位センサー２３７０は、１４０度内外で作動されうる。
【０３５４】
前記第２の水位センサー２３７０で過熱を感知できない場合、前記サーミスタ２３８０がスチームジェネレータ２３００の過熱を感知し、前記サーミスタ２３８０は、１５０〜１８０度内外の温度範囲を感知する。本実施形態における前記サーミスタ２３８０は、１６７度以上を感知する。
【０３５５】
前記サーミスタ２３８０による電源制御後も、前記スチームハウジング２３１０の内部温度（本実施形態における摂氏２５０度）が上昇すれば、前記ヒューズが前記スチームヒータ２３２０の電源を遮断する。
【０３５６】
前記ヒータマウント２３５４は、前記スチームヒータ設置部２３５２を貫通して、前記ロアスチームハウジング２３５０に結合する。前記ヒータマウント２３５４は、前記スチームヒータ設置部２３５２を密閉させる。前記ヒータマウント２３５４及びスチームヒータ設置部２３５２との間に気密のためのガスケット（未図示）が配置されうる。前記水パイプ２３１４は、前記ヒータマウント２３５４側に配置される。ヒータマウント２３５４は、ヒータマウント２３５４に装着される第１のヒータ部２３２１及び第２のヒータ部２３２２の端部それぞれをスチームハウジング２３１０の内部底面に一定間隔離隔して配置させる。ヒータマウント２３５４は、第１のヒータ部２３２１及び第２のヒータ部２３２２の後方端部を固定させる。
【０３５７】
本実施形態によるスチームジェネレータ２３００は、スチームハウジング２３１０の内部に配置されるスチームヒータ２３２０の発熱部２３２１ｂ、２３２２ｂの配置を固定するスチームヒータ固定部２３５６を含む。スチームヒータ固定部２３５６は、スチームハウジング２３１０の底面２３５２ａに装着される。スチームヒータ固定部２３５６には、第１のヒータ部２３２１及び第２のヒータ部２３２２の一部構成が挟まれる形態の固定孔２３５６ａが形成される。よって、スチームヒータ固定部２３５６の固定孔２３５６ａに第１のヒータ部２３２１及び第２のヒータ部２３２２の一部構成が挿入されて、スチームヒータ２３２０の発熱部２３２１ｂ、２３２２ｂの前方端部が固定し得る。
【０３５８】
スチームヒータ固定部２３５６は、スチームハウジング２３１０の内部に配置される第１のヒータ部２３２１及び第２のヒータ部２３２２の前方端部をスチームハウジング２３１０の底面２３５２ａから一定間隔離隔して配置させることができる。
【０３５９】
本実施形態によるスチームヒータ固定部２３５６は、第１のヒータ部２３２１及び第２のヒータ部２３２２の「Ｕ」字状の曲線部を形成する前方端部を固定させることができる。
【０３６０】
本実施形態によるスチームヒータ固定部２３５６とヒータマウント２３５４は、スチームハウジングの内部に配置される第１のヒータ部２３２１及び第２のヒータ部２３２２をスチームハウジング２３１０の底面２３５２ａから一定間隔離隔して配置させることができる。
【０３６１】
一方、前記サプライチャンバ２２１１の内部の水は、自重によって前記水パイプ２３１４に流入する。このために前記水パイプ２３１４は、前記チャンバハウジングパイプ２２１４より低く配置される。特に、前記水パイプ２３１４は、前記チャンバハウジングパイプ２２１４の外側端２２１４ｂと同様であるか低く配置される。
【０３６２】
特に、前記水パイプ２３１４は、前記ロアスチームハウジング２３５０の最も下側に連結されうる。これは、前記スチームハウジング２３１０に貯蔵された水を排水するとき、前記スチームハウジング２３１０の内部に水が溜まることを防止するためである。前記ロアスチームハウジング２３５０の内部底面は、前記水パイプ２３１４で水を流動させる溝又は傾斜が形成されうる。
【０３６３】
本実施形態における前記水パイプ２３１４には、別途弁が配置されない。
【０３６４】
前記水パイプ２３１４及びチャンバハウジングパイプ２２１４が連通した構造であるため、前記サプライチャンバ２２１１の水位と前記スチームハウジング２３１０の水位は、同様に形成されうる。
【０３６５】
具体的には、前記スチームハウジング２３１０の内部に十分な水が供給されると、前記サプライチャンバ２２１１の水位と前記スチームハウジング２３１０の水位が同様に形成され、前記水供給アセンブリ２２００のサプライフロータ２２２０が水位上昇によって上昇し、前記サプライフロータ２２２０は、水が供給されるミドル孔２２５８を閉鎖させることができる。
【０３６６】
本実施形態における前記チャンバハウジングパイプ２２１４は、前記スチームヒータ２３２０の高さ内に配置される。前記チャンバハウジングパイプ２２１４の外側端２２１４ｂは、前記スチームジェネレータ２３００の最高水位（ＷＨ）より低く配置される。
【０３６７】
前記スチームジェネレータ２３００の最高水位（ＷＨ）は、弁孔２１１１より低く配置される。前記ミドル孔２２５８は、スチームジェネレータ２３００の最高水位（ＷＨ）と同様であるか高く配置される。本実施形態における前記ミドル孔２２５８は、前記スチームヒータ２３２０の上端２３２１ａ、２３２２ａと隔離距離（Ｈ）を形成する。
【０３６８】
本実施形態では、前記サプライフロータ２２２０に配置されたフロータ弁ストッパー２２７８がフロータボディー２２２２より上側に突出するため、前記フロータボディー２２２２の最大上昇高さは、前記最高水位（ＷＨ）と同様であるか低くてもよい。
【０３６９】
ただし、前記サプライフロータ２２２０の最大上昇時、前記ミドル孔２２５８が閉鎖され、前記スチームジェネレータ２３００に提供される水の供給が遮断されることには変わりない。
【０３７０】
前記スチーム吐出部２３１６は、前記アッパスチームハウジング２３４０の内部と連通される。前記スチーム吐出部２３１６は、前記アッパスチームハウジング２３４０を上下方向に貫通する。前記スチーム吐出部２３１６は、前記スチームガイド２４００との連結のために、前記アッパスチームハウジング２３４０の上側面２３４０ａから上側に突出したスチーム吐出部突出リブ２３１６ｂを含む。
【０３７１】
スチーム吐出部突出リブ２３１６ｂは、スチーム吐出口２３１６ａが形成する孔の縁の部分に沿って上側に突出して形成される。スチーム吐出部突出リブ２３１６ｂは、四角形のリング状を有し、スチームガイド２４００の下側端部と連結されうる。
【０３７２】
アッパスチームハウジング２３４０は、アッパスチームハウジング２３４０の上側面２３４０ａから上側に突出して、スチーム吐出部２３１６と連結されるスチームガイド２４００を支持する支持リブ２３４１ａ、２３４１ｂをさらに含む。本実施形態による支持リブ２３４１ａ、２３４１ｂから左右側に一定間隔離隔して配置されて、スチーム吐出部突出リブ２３１６ｂと支持リブ２３４１ａ、２３４１ｂとの間に配置されるスチームガイド２４００を支持することができる。
【０３７３】
スチーム吐出部２３１６とスチームガイド２４００は、シーリングされるように結合されうるし、支持リブ２３４１ａ、２３４１ｂは、スチーム吐出部２３１６とスチームガイド２４００との間のシーリング構造を支持することができる。
【０３７４】
スチーム吐出部突出リブ２３１６ｂから一定間隔離隔して配置され、前記空気吸入部２３１８は、前記スチームハウジング２３１０に配置され、より詳細には、アッパスチームハウジング２３４０に配置される。前記空気吸入部２３１８は、アッパスチームハウジング２３４０の内部と連通し、前記加湿ファン２５００から供給された空気が流入する。
【０３７５】
前記空気吸入部２３１８は、前記加湿ファン２５００との連結のために、前記アッパスチームハウジング２３４０の上側面２３４０ａから上側に突出した空気吸入部突出リブ２３１８ｂを含む。空気吸入部突出リブ２３１８ｂは、空気吸入口２３１８ａが形成する孔の縁部分に沿って上側に突出して形成される。空気吸入部突出リブ２３１８ｂは、四角形のリング状を有し、第２の加湿ファンハウジング２５６０の下側端部と連結されうる。
【０３７６】
本実施形態における前記空気吸入部２３１８は、スチーム吐出部２３１６の後方に配置される。前記空気吸入部２３１８は、スチーム吐出部２３１６より加湿ファン２５００に近く配置される。
【０３７７】
前記空気吸入部２３１８は、前記加湿ファン２５００と連結され、前記加湿ファン２５００から濾過空気を供給される。前記空気吸入部２３１８は、フィルターアセンブリ６００を通して濾過した空気を供給される。前記空気吸入部２３１８に供給された濾過空気は、スチームハウジング２３１０の内部に流入し、前記スチームハウジング２３１０の内部のスチームと共にスチーム吐出部２３１６に吐出される。
【０３７８】
図１６を参照すれば、スチームハウジング２３１０の中心を通って前後方向に延びる仮想の縦線（ＬＣ）と、スチームハウジング２３１０の中心を通って左右方向に延びる仮想の横線（ＬＲ）を基準に、空気吸入部２３１８、スチーム吐出部２３１６、第１の水位センサー２３６０、第２の水位センサー２３７０及びサーミスタ２３８０の配置及び大きさを説明する。図１６を参照すれば、スチームハウジング２３１０は、上側視、縦線（ＬＣ）の左側に位置して、横線（ＬＲ）の後方に位置する第１領域（I）、縦線（ＬＣ）の右側に位置して、横線（ＬＲ）の後方に位置する第２領域（II）、縦線（ＬＣ）の左側に位置して、横線（ＬＲ）の前方に位置する第３領域（III）及び、縦線（ＬＣ）の右側に位置して、横線（ＬＲ）の前方に位置する第４領域（IV）とに区分することができる。
【０３７９】
本実施形態による空気吸入部２３１８は、縦線（ＬＣ）と横線（ＬＲ）を基準に後方左側に主に配置される。空気吸入部２３１８は、主に第１領域（I）に配置される。本実施形態による空気吸入部２３１８は、第１領域（I）〜第４領域（IV）の全領域で配置される。図１６を参照すれば、本実施形態による空気吸入部２３１８は、縦線（ＬＣ）が横線（ＬＲ）の交差する中心に一部が掛かるように配置されうる。本実施形態による空気吸入部２３１８は、縦線（ＬＣ）と横線（ＬＲ）を基準に、後方左側に形成される領域の２／３以上の面積を占める大きさを有し得る。
【０３８０】
本実施形態によるスチーム吐出部２３１６は、横線（ＬＲ）を基準に、スチームハウジング２３１０の前方に配置されうる。本実施形態によるスチーム吐出部２３１６は、第３領域（III）と第４領域（IV）の領域で配置される。スチーム吐出部２３１６は、主に第３領域（III）で配置される。図１６を参照すれば、本実施形態によるスチーム吐出部２３１６は、縦線（ＬＣ）と横線（ＬＲ）を基準に前方左側に主に配置されうる。スチーム吐出部２３１６は、空気吸入部２３１８の前方に配置され、空気吸入部２３１８の空気吸入口２３１８ａが形成する面積より小さい面積を有するスチーム吐出口２３１６ａを形成することができる。
【０３８１】
本実施形態による第１の水位センサー２３６０は、縦線（ＬＣ）を基準に右側に配置されうる。図１６を参照すれば、第１の水位センサー２３６０は、縦線（ＬＣ）を基準に右側に配置され、横線（ＬＲ）上に配置されうる。
【０３８２】
本実施形態による第２の水位センサー２３７０は、縦線（ＬＣ）と横線（ＬＲ）を基準に前方右側に配置されうる。第２の水位センサー２３７０は、スチーム吐出部２３１６の右側に配置されうる。
【０３８３】
本実施形態によるサーミスタ２３８０は、スチームハウジング２３１０の内部過熱を防止するように、横線（ＬＲ）と縦線（ＬＣ）が交差する中心点に隣接して配置されうる。本実施形態によるサーミスタ２３８０は、空気吸入部２３１８とスチーム吐出部２３１６との間に配置されうる。本実施形態によるサーミスタ２３８０は、横線（ＬＲ）を基準に後方に配置されうる。
【０３８４】
本実施形態による水パイプ２３１４は、横線（ＬＲ）と縦線（ＬＣ）を基準に、後方右側に配置されるスチームハウジング２３１０の周面に形成されうる。よって、水パイプ２３１４は、横線（ＬＲ）を基準に、前方側に配置される水供給アセンブリ２３００と遠距離に配置され、横線（ＬＲ）を基準に、後方側に配置されるドレンアセンブリ２７００と近距離に配置されうる。水パイプ２３１４は、空気吸入部２３１８が主に配置される領域である第１領域（I）と第２領域（II）の下側でスチームハウジング２３１０の周面に配置される。水パイプ２３１４は、水供給アセンブリ２３００と遠距離に配置され、空気吸入部２３１８が主に配置される後方領域で配置されて、スチームハウジング２３１０に存在する水が水パイプ２３１４に逆流することを防止することができる。
【０３８５】
前記スチームハウジング２３１０の内部に濾過空気ではない一般空気が流入する場合、前記スチームハウジング２３１０の内部は、カビなどが繁殖する可能性が非常に高い。
【０３８６】
本実施形態では、前記スチームハウジング２３１０の内部に供給される空気が濾過空気に限定されるため、前記スチームジェネレータ２３００が作動しないとき、内部が細菌又はカビなどで汚染することを最小化することができる。
【０３８７】
本実施形態による前記スチームジェネレータ２３００は、加湿ファン２５００の空気の流動が内部に供給されて、スチームをスチームハウジング２３１０の外に押し出すため、スチームの流動圧力を極大化することができる。
【０３８８】
本実施形態と違って、前記スチームハウジングの外で加湿ファンがスチームを吸い込む構造である場合、スチームハウジングの内部スチームが円滑に排出されないことがある。
【０３８９】
スチームジェネレータ２３００で生成されたスチームが速かに側面吐出口３０１、３０２に流動されない場合、スチームの移動過程で結露が発生し得る。
【０３９０】
本実施形態は、加湿ファン２５００がスチームジェネレータ２３００の空気吸入側で空気を供給するため、スチームの流動過程で発生する結露を最小化することができる。また、本実施形態では、加湿ファン２５００の空気がスチームハウジング２３１０の内部のスチームをスチームハウジング２３１０の外に押し出すため、十分な空気の流速を確保することができる。
【０３９１】
特に、本実施形態の場合、スチームの流動過程で結露が発生しても、スチームを流動させる空気の流速が充分に確保されるため、凝縮水が空気の流速によって自然蒸発し得る。
【０３９２】
図２４は、本発明の一実施形態によるドレンポンプの作動周期によるスケールの発生及びスチームヒータの温度と、洗濯機でのスケールの発生及びスチームヒータ温度を比較して示したグラフである。図２５は、本発明の一実施形態によるドレンポンプの作動周期によるヒータの内部温度及び熱伝逹率と、洗濯機でのヒータの内部温度及び熱伝逹率を比較して示したグラフである。
【０３９３】
＜ドレンアセンブリの構成＞
前記ドレンアセンブリ２７００は、ベース１３０に配置され、前記水供給アセンブリ２２００及びスチームジェネレータ２３００の水を排水するドレンポンプ２７１０と、前記ドレンポンプ２７１０に連結され、前記ドレンポンプ２７１０でポンピングされた水を前記室内機の外に案内するドレンホース２７２０と、前記水供給アセンブリ２２００のチャンバハウジングパイプ２２１４、スチームジェネレータ２３００の水パイプ２３１４及びドレンポンプ２７１０を連結して水を流動させる水連結管２７３０とを含む。
【０３９４】
前記ドレンポンプ２７１０の構成は、当業者にとって一般的な装置であるため、作動に関する説明は省略する。前記ドレンポンプ２７１０は、水連結管２７３０と連結されるドレンインレット２７１４と、前記ドレンホース２７２０と連結されるドレンアウトレット２７１２とを含む。
【０３９５】
前記ドレンインレット２７１４は、水平方向に配置され、本実施形態における前記スチームジェネレータ２３００側に突出する。前記ドレンアウトレット２７１２は、上側に突出する。
【０３９６】
本実施形態における水供給アセンブリ２２００、スチームジェネレータ２３００及びドレンポンプ２７１０での水は、水の自重によって移動されるため、前記ドレンポンプ２７１０の配置は、これを満たすために配置される。そのため、前記ドレンポンプ２７１０は、前記チャンバハウジングパイプ２２１４及び水パイプ２３１４より低く配置されることが好ましい。
【０３９７】
前記水供給アセンブリ２２００及びスチームジェネレータ２３００の水も水の自重によって移動されるため、前記水パイプ２３１４は、チャンバハウジングパイプ２２１４より低く配置されることが好ましい。
【０３９８】
かかる配列によって、この３つのうち前記チャンバハウジングパイプ２２１４が最も高く配置され、前記ドレンポンプ２７１０が最も低く配置され、前記水パイプ２３１４は、チャンバハウジングパイプ２２１４及びドレンポンプ２７１０との間の高さに配置される。
【０３９９】
前記水供給アセンブリ２２００、スチームジェネレータ２３００及びドレンポンプ２７１０は、いずれもキャビネットアセンブリ１００のベース１３０に配置される。上述した高さの差を形成させるために、前記ベース１３０は、高低差を形成する。
【０４００】
本実施形態における前記ベース１３０は、下側に凹むドレンポンプ設置部１３３が形成される。
【０４０１】
前記ベース１３０は、平たく形成されたベーストップウォール１３１と、前記ベーストップウォール１３１から下側に凹に形成されたドレンポンプ設置部１３３を含む。
【０４０２】
前記ベーストップウォール１３１が前記ドレンポンプ設置部１３３より高く位置される。
【０４０３】
前記水連結管２７３０は、前記チャンバハウジングパイプ２２１４と連結される第１の連結管２７３１と、前記水パイプ２３１４と連結される第２の連結管２７３２と、前記ドレンインレット２７１４と連結される第３の連結管２７３３と、前記第１の連結管２７３１、第２の連結管２７３２及び第３の連結管２７３３と連結される３方向パイプ２７３５とを含む。
【０４０４】
前記３方向パイプ２７３５は、Ｔ型パイプ又はＹ型パイプであってもよく、本実施形態では、設置空間を最小化するためにＴ型パイプが使用される。
【０４０５】
前記第１の連結管２７３１の一側端は、前記チャンバハウジングパイプ２２１４と結合し、他側端は、前記３方向パイプ２７３５と結合する。本実施形態と違って、前記第１の連結管２７３１に弁が設置され、設置された弁が前記第１の連結管２７３１の流動を断続することができる。
【０４０６】
前記第２の連結管２７３２の一側端は、前記水パイプ２３１４と結合し、他側端は、前記３方向パイプ２７３５と結合する。前記第３の連結管２７３３の内部にはメッシュフィルター（未図示）が設置されうる。スチームジェネレータ２３００で発生したスケールがドレンポンプ２７１０に流動する場合、排水不良によるリスクをもたらし得るところ、メッシュフィルターは、０．８ｍｍ以上のスケール塊を濾し得る大きさに形成されうる。前記メッシュフィルターは、前記スチームジェネレータの作動によって発生するスケールを濾過し、スケールが前記ドレンポンプ２７１０に流入することを遮断する。
【０４０７】
前記第３の連結管２７３３の一側端は、前記ドレンポンプ２７１０のドレンインレット２７１４と結合し、他側端は、前記３方向パイプ２７３５と結合する。
【０４０８】
前記第１の連結管２７３１、第２の連結管２７３２及び第３の連結管２７３３の材質に特に制約はないが、本実施形態では、組み立てが容易であるように合成樹脂の材質で製作される。
【０４０９】
ここで、前記第２の連結管２７３２は、高温水が流入し得るため、前記スチームジェネレータ２３００の温度範囲をカバーできる耐熱材質（本実施形態では、ＥＤＰＭ）で形成されることが好ましい。少なくとも前記第２の連結管２７３２は、前記ヒータヒューズを作動する前までの温度（摂氏２１６度）に対して変形が発生しない材質で形成されることが好ましい。
【０４１０】
好ましくは、前記水連結管２７３０の全体が前記ヒータヒューズの作動前までの温度（摂氏２１６度）に対して変形が発生しない材質で形成されることが好ましい。本実施形態によるヒータヒューズは、切れ温度を２１６℃と設定することができる。
【０４１１】
前記スチームジェネレータ２３００が作動すれば、正常な場合も、スチームジェネレータ２３００の内部の水が１００度以上に上昇し得る。このとき、水を供給されるパイプと水を排出するパイプとがそれぞれ備えられる場合、水を供給されるパイプは、水タンクと連結されるため、温度上昇が遅いが、ドレンポンプ２７１０と連結されるパイプには少量の水のみが貯蔵されるため、スチームジェネレータ２３００の内部と類似の温度に上昇する問題点がある。
【０４１２】
前記ドレンポンプと連結されるパイプの水温が上昇する場合、ドレンポンプが損傷されうる。
【０４１３】
本実施形態では、これを防止するために、前記３方向パイプ２７３５でスチームジェネレータ２３００の水と水供給アセンブリ２２００の水を混合させることができ、混合した水によって前記第３の連結管２７３３の温度上昇を抑制させることができる。
【０４１４】
前記第２の連結管２７３２側の水温が摂氏１００度以上に上昇しても、前記第１の連結管２７３１側の水は、常温を形成するため、前記３方向パイプ２７３５で高温の水と常温の水とが混合して、水温の上昇を抑制する。
【０４１５】
前記第１の連結管２７３１側の水は、前記水供給アセンブリ２２００側から水を供給されるため、対流を介して温度上昇を抑制させることができる。
【０４１６】
例えば、前記スチームジェネレータ２３００の作動後、スチームハウジング２３１０の内部の水が高温である状態でドレンポンプ２７１０が作動する場合も、前記第２の連結管２７３２で排水された高温の水と前記第１の連結管２７３１で排水される常温の水とが、前記３方向パイプ２７３５で混合し、混合した水の温度は、少なくとも７０度以下に下降し得る。
【０４１７】
本実施形態では、前記水連結管２７３０を介して排水時、前記ドレンポンプ２７１０に流動される水温を３０度〜５０度との間に形成させることができる。
【０４１８】
本実施形態では、前記ドレンポンプ２７１０の作動時、前記スチームハウジング２３１０の内部に貯蔵された水のみならず、前記水タンク２１００及び水供給アセンブリ２２００に貯蔵された水も全部排水される特徴がある。
【０４１９】
前記加湿アセンブリ２０００で使用される水は、室内加湿のために使用されるため、時間が経過するにつれて細菌が繁殖するリスクがある。そのため、所定期間（２４時間）使用されないとき、前記水タンク２１００、水供給アセンブリ２２００はもちろん、スチームハウジング２３１０に貯蔵された水も全部排水し、前記加湿アセンブリ２０００の全体を乾燥させる制御を行うことができる。
【０４２０】
前記加湿アセンブリ２０００で使用される水は、スチームジェネレータ２３００で加熱して使用されるため、水を加熱するスチームヒータ２３２０の表面にスケールが発生し得る。スチームヒータ２３２０の表面に積もったスケールは、スチームヒータ２３２０によって発生する熱をスチームハウジング２３１０の内部に貯蔵された水に熱伝逹されることを妨げる要素に作用し得る。よって、スチームヒータ２３２０の表面又はスチームハウジング２３１０の内部にスケールの発生を最小化するように、ドレンアセンブリ２７００を周期的に作動させることが好ましい。つまり、上記のように、所定期間（１日）、加湿アセンブリ２０００が使用されないとき、前記水タンク２１００、水供給アセンブリ２２００はもちろん、スチームハウジング２３１０に貯蔵された水も全部排水することが好ましい。
【０４２１】
図２４を参照すれば、本実施形態によるドレンアセンブリ２７００の作動有無及び作動周期によってスチームヒータ２３２０がスチームハウジング２３１０の内部の水を加熱するためのスチームヒータ２３２０の温度が変わることを把握することができる。つまり、ドレンアセンブリ２７００が３日に１回の周期で作動した場合、ドレンアセンブリが作動しない場合に比べて、スケールの発生量が顕著に減り、それによるスチームヒータ２３２０がスチームハウジング２３１０の内部の水を加熱するためのスチームヒータ２３２０の温度が減ることを把握することができる。
【０４２２】
また、本実施形態による空気調和機を１０年使用したとき、スケールの発生によるスチームヒータ２３２０の内部温度は、ドレンアセンブリを作動しなかったとき、２０７．６度に形成され、３日に１回の周期でドレンアセンブリ２７００を作動した場合、スチームヒータ２３２０の内部温度は、１９２．４度に形成されることが分かる。また、図面には示していないが、同じ方式で１日に１回の周期でドレンアセンブリ２７００を作動した場合、スチームヒータ２３２０の内部温度は、１８５．９度に形成されて、スチームヒータ２３２０の表面又はスチームハウジング２３１０の内部にスケールの発生を最小化するように、ドレンアセンブリ２７００の作動周期を短く設定することが好ましいことが分かる。
【０４２３】
本実施形態によるヒータヒューズは、切れ温度を２１６℃と設定して、ドレンアセンブリ２７００が周期的に作動しない場合も、１０年以上の空気調和機の使用にもヒータヒューズが切れずに、スチームヒータ２３２０が作動できる耐久性を有し得る。
【０４２４】
図２５を参照すれば、本実施形態によるドレンアセンブリ２７００の作動有無及び作動周期によってスケールの発生有無が変わる。つまり、ドレンアセンブリ２７００が３日に１回の周期で作動した場合、ドレンアセンブリが作動しない場合に比べて、スケールの発生量が顕著に減り、それによるスチームヒータ２３２０の熱伝逹率も増加して、スチームヒータ２３２０の内部温度が小さく維持できことを把握することができる。
【０４２５】
また、本実施形態による空気調和機を１０年使用したとき、スケールの発生による熱伝逹率の予測値は、ドレンアセンブリを作動しなかったとき、６０１Ｗと形成され、３日に１回の周期でドレンアセンブリ２７００を作動した場合、熱伝逹率の予測値は、６２４Ｗと形成されることが分かる。また、図面に示していないが、同じ方式で１日に１回の周期でドレンアセンブリ２７００を作動した場合、熱伝逹率の予測値は、６３１Ｗと形成されて、スチームヒータ２３２０の表面又はスチームハウジング２３１０の内部にスケールの発生を最小化するように、ドレンアセンブリ２７００の作動周期を短く設定することが好ましいことが分かる。
【０４２６】
前記ドレンポンプ２７１０が作動すれば、前記第３の連結管２７３３側の水が排水される。ドレンインレット２７１４と結合した前記第３の連結管２７３３の一側端が最も低く配置されるため、水の位置エネルギーによって前記水タンク２１００及び水供給アセンブリ２２００の水は、前記第１の連結管２７３１及び３方向パイプ２７３５を経て前記第３の連結管２７３３に流動される。
【０４２７】
同様、水の位置エネルギーによって前記スチームハウジング２３１０の水は、前記第２の連結管２７３２及び３方向パイプ２７３５を経て前記第３の連結管２７３３に流動される。
【０４２８】
このように、前記水連結管２７３０の構造は、スチームジェネレータ２３００の温度上昇を抑制するだけでなく、加湿アセンブリ２０００の全体排水を容易に具現することができる。
【０４２９】
＜＜スチームガイドの構成＞＞
前記スチームガイド２４００は、スチームジェネレータ２３００のスチームを吐出流路に供給する。前記吐出流路は、遠距離ファンアセンブリ４００によって流動される空気流路及び近距離ファンアセンブリによって流動される空気流路を含む。
【０４３０】
本実施形態における前記吐出流路は、前記キャビネットアセンブリ１００に配置され、前記フィルターアセンブリ６００を通した空気が前記キャビネットアセンブリ１００の外に吐出される前までと定義する。
【０４３１】
本実施形態における前記スチームガイド２４００は、スチームジェネレータ２３００で生成されたスチームを前記側面吐出口３０１、３０２に案内する。前記スチームガイド２４００は、前記キャビネットアセンブリ１００の内部空気と分離された別途流路を提供する。前記スチームガイド２４００は、管又はダクトの形態であってもよい。
【０４３２】
前記スチームガイド２４００は、スチームジェネレータ２３００に結合し、前記スチームジェネレータ２３００の加湿空気を提供されるメインスチームガイド２４５０と、前記メインスチームガイド２４５０に結合し、前記メインスチームガイド２４５０を介して供給された加湿空気のうち一部を第１の側面吐出口３０１に案内する第１の分岐ガイド２４１０と、前記メインスチームガイド２４５０に結合して、前記メインスチームガイド２４５０を介して供給された加湿空気のうちその他を第２の側面吐出口３０２に案内する第２の分岐ガイド２４２０と、前記第１の分岐ガイド２４１０と組み立てられ、前記第１の側面吐出口３０１に配置されて、前記第１の分岐ガイド２４１０を介して供給された加湿空気を前記第１の側面吐出口３０１に吐出させる第１のディフューザ２４３０と、前記第２の分岐ガイド２４２０と組み立てられ、前記第２の側面吐出口３０２に配置されて、前記第２の分岐ガイド２４２０を介して供給された加湿空気を前記第２の側面吐出口３０２に吐出させる第２のディフューザ２４４０とを含む。
【０４３３】
本実施形態と違って、前記第１の分岐ガイド２４１０及び第２の分岐ガイド２４２０が、前記スチームジェネレータ２３００に直接結合し得る。この場合、前記スチームジェネレータ２３００には、第１の分岐ガイド２４１０及び第２の分岐ガイド２４２０が結合するそれぞれのスチーム吐出部が配置される。
【０４３４】
また、本実施形態と違って、一つの分岐ガイドのみ配置され、前記一つの分岐ガイドが一つのディフューザに結合する構造を提供することができる。この場合、一つのディフューザは、第１の側面吐出口又は第２の側面吐出口のいずれかのみに配置されうる。
【０４３５】
本実施形態における前記ディフューザは、側面吐出口に配置されるものの、前記正面吐出口に設置されてもよい。つまり、前記ディフューザの設置位置は、側面吐出口に制限されない。
【０４３６】
本実施形態における前記メインスチームガイド２４５０は、ダクト状に形成される。前記メインスチームガイド２４５０は、下側から上側に空気を案内する。前記メインスチームガイド２４５０は、前記スチームジェネレータ２３００から供給された空気（スチーム及び濾過空気が混合した空気）を前記第１の分岐ガイド２４１０及び第２の分岐ガイド２４２０に提供する。
【０４３７】
前記スチームジェネレータ２３００から供給された空気（スチーム及び濾過空気が混合した空気）は、前記メインスチームガイド２４５０における第１の分岐ガイド２４１０及び第２の分岐ガイド２４２０に分岐される。
【０４３８】
前記メインスチームガイド２４５０の下端は、スチームハウジング２３１０のスチーム吐出部２３１６に結合する。前記メインスチームガイド２４５０の上端は、第１の分岐ガイド２４１０及び第２の分岐ガイド２４２０と結合する。
【０４３９】
前記メインスチームガイド２４５０は、下側が開口される。前記メインスチームガイド２４５０の上側には、前記第１の分岐ガイド２４１０が組み立てられる第１のガイド結合部２４５１と、前記第２の分岐ガイド２４２０が組み立てられる第２のガイド結合部２４５２が配置される。
【０４４０】
前記第１のガイド結合部２４５１及び第２のガイド結合部２４５２は、上下方向に貫通する。本実施形態における第１のガイド結合部２４５１及び第２のガイド結合部２４５２は、パイプ状に形成される。
【０４４１】
前記第１の分岐ガイド２４１０は、前記第１のガイド結合部２４５１の平断面に対応するパイプ状に形成される。前記第２の分岐ガイド２４２０は、前記第２のガイド結合部２４５１の平断面に対応するパイプ状に形成される。
【０４４２】
本実施形態における前記メインスチームガイド２４５０が、キャビネットアセンブリ１００の正面視、一方（左側）に偏って配置されるため、第１の分岐ガイド２４１０及び第２の分岐ガイド２４２０は、長さが異なって形成される。
【０４４３】
前記第１の分岐ガイド２４１０及び第２の分岐ガイド２４２０に均等な空気が供給されることが好ましい。本実施形態では、前記第１の分岐ガイド２４１０及び第２の分岐ガイド２４２０の管径を異なって製作して、前記第１の分岐ガイド２４１０及び第２の分岐ガイド２４２０の流量を均等に形成させることができる。
【０４４４】
例えば、長さの短いスチームガイドの管径を小さくし、長さの長いスチームガイドの管径を大きくして、流量を均等に形成させることができる。
【０４４５】
前記第１のディフューザ２４３０及び第２のディフューザ２４４０は、左右方向に対称する。
【０４４６】
前記第１のディフューザ２４３０は、前記第１の分岐ガイド２４１０と組み立てられ、前記第１の側面吐出口３０１に配置される。前記第１のディフューザ２４３０は、前記第１の分岐ガイド２４１０を介してスチームと共に供給された空気を前記第１の側面吐出口３０１に吐出させる。
【０４４７】
前記第１のディフューザ２４３０は、第１の側面吐出口３０１から吐出される空気にスチームが含まれた濾過空気を溜めて排出する。前記第１のディフューザ２４３０から吐出される空気の流速又は圧力が、近距離ファンアセンブリによって前記第１の側面吐出口３０１に吐出される空気の流速及び圧力より大きいとき、第１のディフューザ２４３０から吐出される空気は、近距離ファンアセンブリによって前記第１の側面吐出口３０１に吐出される空気に抵抗として作用して、第１の側面吐出口３０１に吐出される空気が室内空間を円滑に流動することができなくなる。よって、前記第１の側面吐出口３０１を介して吐出される空気の流速及び圧力は、前記第１のディフューザ２４３０から吐出される空気の流速又は圧力と同様であるか大きく形成される。
【０４４８】
前記第１の側面吐出口３０１から吐出される空気は、前記第１のディフューザ２４３０から吐出されたスチームをさらに遠く拡散させることができる。前記第２のディフューザ２４４０も同様な原理で作動される。
【０４４９】
前記側面吐出口３０１、３０２から吐出される空気の流速及び圧力が、ディフューザ２４３０、２４４０から吐出される空気の流速及び圧力より大きく形成されるため、スチームによる側面吐出口３０１、３０２の周りの結露を最小化することができる。
【０４５０】
前記第２のディフューザ２４４０は、前記第２の分岐ガイド２４２０と組み立てられ、前記第２の側面吐出口３０２に配置される。前記第２のディフューザ２４４０は、前記第２の分岐ガイド２４２０を介してスチームと共に供給された空気を前記第２の側面吐出口３０２に吐出させる。
【０４５１】
前記第１のディフューザ２４３０及び第２のディフューザ２４４０は、同様な構造であるため、第１のディフューザ２４３０を例にあげて説明する。
【０４５２】
前記第１のディフューザ２４３０は、下側でスチームと共に供給された空気側面吐出口に吐出させる。
【０４５３】
前記ディフューザ（本実施形態における第１のディフューザ及び第２のディフューザ）は、内部に空間が形成され、一側（本実施形態における下側）が開口されるディフューザハウジング２４６０と、前記ディフューザハウジング２４６０を貫通するように形成されるディフューザアウトレット２４３１、２４４１と、前記ディフューザハウジング２４６０の外側に配置され、前記ディフューザハウジング２４６０に配置され、前記スチームガイド２４２０、２４３０と組み立てられるディフューザインレット２４３３、２４４３とを含む。
【０４５４】
説明の便宜のため、第１のディフューザ２４３０及び第２のディフューザ２４４０のディフューザアウトレットを区分する必要があるとき、第１のディフューザアウトレット２４３１及び第２のディフューザアウトレット２４４１と定義する。同様、第１のディフューザ２４３０及び第２のディフューザ２４４０のディフューザインレットを区分する必要があるとき、第１のディフューザインレット２４３３及び第２のディフューザインレット２４４３と定義する。
【０４５５】
前記ディフューザアウトレット２４３１は、スリット状に形成される。前記ディフューザアウトレット２４３１は、上下方向に長く延びる。前記ディフューザアウトレット２４３１は、ディフューザハウジング２４６０の長さが方向に複数配置されうる。前記ディフューザアウトレット２４３１は、左側又は右側に向って配置される。
【０４５６】
前記ディフューザアウトレット２４３１は、キャビネットアセンブリ１００の側面吐出口３０１、３０２近くに配置される。
【０４５７】
前記第１のディフューザアウトレット２４３１は、キャビネットアセンブリ１００の左側に向かってに配置され、前記第２のディフューザアウトレット２４４１は、キャビネットアセンブリ１００の右側に向かって配置される。
【０４５８】
本実施形態におけるディフューザアウトレット２４３１は、側面吐出口３０１、３０２より前方に配置され、前記側面吐出口３０１、３０２から吐出される空気の流動によってより遠く加湿空気を流動させることができる。
【０４５９】
前記ディフューザハウジング２４６０は、内部にディフューザ空間が形成される。前記ディフューザ空間は、前記ディフューザインレット２４３３及びディフューザアウトレット２４３１と連通される。前記ディフューザ空間は、上下方向に長く延びる。平断面視、前記ディフューザ空間の内側は、広くて、外側は、狭く形成される。
【０４６０】
本実施形態におけるディフューザインレット２４３３は、パイプ状に形成される。
【０４６１】
前記ディフューザインレット２４３３は、スチームガイド２４２０の内部に挿入される。前記ディフューザインレット２４３３がスチームガイド２４２０の内部に挿入されることは、ディフューザハウジング２４６０の内部で生成された凝縮水が外部に漏れることを防止するためである。
【０４６２】
前記ディフューザハウジング２４６０の内部に置かれた凝縮水は、前記自重によって下側に流動され、ディフューザインレット２４３３を介してスチームガイド２４２０に移動された後、メインスチームガイド２４５０を経てスチームジェネレータ２３００に回収されうる。
【０４６３】
前記加湿ファン２５００の作動時、流動される空気によってディフューザハウジング２４６０の内部の凝縮水は、自然蒸発し得る。前記加湿ファン２５００が作動しない場合、ディフューザハウジング２４６０の内部に置かれた凝縮水は、スチームジェネレータ２３００に回収されうるし、ドレンアセンブリ２７００を介して外部に排出されうる。
【０４６４】
本実施形態による加湿アセンブリ２０００は、加湿を提供するとき、水分の到達距離を加湿ファン２５００の出力のみに依存するものではない。水分をより遠く流動させるために、加湿ファン２５００の出力のみに依存する場合、加湿ファン２５００の容量を増加させるか、加湿ファン２５００を高速に作動させなければならない。
【０４６５】
本実施形態では、加湿アセンブリ２０００を作動させるとき、近距離ファンアセンブリの空気の流動に水分を溜めてより遠く流動させることができる。この場合、出力容量の少ない加湿ファン２５００を使用しても、室内の遠いところまで加湿を提供することができる。
【０４６６】
前記ディフューザアウトレット２４３１が側面吐出口３０１、３０２の後方に配置されることより、前方に配置されることが加湿空気をより遠く流動させることができる。
【０４６７】
＜＜加湿ファンの構成＞＞
前記加湿ファン２５００は、フィルターアセンブリ６００を通した濾過空気を吸入してスチームジェネレータ２３００に供給し、前記スチームジェネレータ２３００で生成されたスチームと共に濾過空気をスチームガイド２４００に流動させる。
【０４６８】
前記加湿ファン２５００は、スチーム及び濾過空気（本実施形態では、加湿空気と言う。）をディフューザ２４３０、２４４０から吐出させる空気の流動を発生させる。
【０４６９】
前記加湿ファン２５００は、フィルターアセンブリ６００を通した濾過空気を吸入し、前記吸入した濾過空気をスチームジェネレータ２３００に案内する加湿ファンハウジング２５３０と、下側が前記加湿ファンハウジング２５３０に連結され、上側が前記フィルターアセンブリ６００の前方に配置され、前記フィルターアセンブリ６００を通した濾過空気を前記加湿ファンハウジング２５３０に提供するクリーン吸入ダクト２５４０と、前記加湿ファンハウジング２５３０の内部に配置され、前記加湿ファンハウジング２５３０の濾過空気を前記スチームジェネレータ２３００に流動させる加湿インペラ２５１０と、前記加湿ファンハウジング２５３０に配置され、前記加湿インペラ２５１０を回転させる加湿モーター２５２０とを含む。
【０４７０】
前記クリーン吸入ダクト２５４０は、フィルターアセンブリ６００を通した濾過空気を前記加湿ファンハウジング２５３０に提供する。
【０４７１】
前記フィルターアセンブリ６００は、アッパキャビネット１１０に配置され、加湿ファン２５００は、ロアキャビネット１２０に配置されるため、高さの差がある。つまり、フィルターアセンブリ６００は、加湿ファン２５００の上部に位置される。
【０４７２】
特に、フィルターアセンブリ６００を通した濾過空気は、近距離ファンアセンブリ３００に流動され、ロアキャビネット１２０では濾過空気が流動しないか流動が難しい。具体的には、ロアキャビネット１２０には空気が吐出される部分がないため、人為的に空気を供給しない限り、前記ロアキャビネット１２０の内部に濾過空気が流動されるか循環されることはない。
【０４７３】
さらに、アッパキャビネット１１０の下側には熱交換アセンブリを支持し、凝縮水を収集するドレンファン１４０が配置されるため、アッパキャビネット１１０の内部の濾過空気がロアキャビネット１２０に流動されるには制約が多い。
【０４７４】
前記クリーン吸入ダクト２５４０の上側端は、アッパキャビネット１１０の内部に位置され、下端は、ロアキャビネット１２０の内部に位置される。つまり、前記クリーン吸入ダクト２５４０は、アッパキャビネット１１０の内部の濾過空気をロアキャビネット１２０の内部に流動させるための流路を提供する。
【０４７５】
前記クリーン吸入ダクト２５４０は、熱交換アセンブリ又はフィルターアセンブリ６００に向かって開口された第１のクリーンダクト開口面２５４１が形成される。
【０４７６】
前記加湿ファンハウジング２５３０は、クリーン吸入ダクト２５４０と結合して、濾過空気が吸入し、内部に第１の吸入空間２５５１が形成された第１の加湿ファンハウジング２５５０と、前記第１の加湿ファンハウジング２５５０と結合して、前記第１の加湿ファンハウジング２５５０から濾過空気を提供され、内部に第２の吸入空間２５６１が形成され、内部に前記加湿インペラ２５１０が配置されて、前記加湿インペラ２５１０の作動によって濾過空気を前記スチームジェネレータ２３００に案内する第２の加湿ファンハウジング２５６０と、前記第１の加湿ファンハウジング２５５０に形成され、前記第１の吸入空間２５５１と連通されて、一側（本実施形態における上側）に向かって開放された第１の吸入開口面２５５２と、前記第２の加湿ファンハウジング２５６０に形成され、前記第２の吸入空間２５６１と連通されて、他側（本実施形態における下側）に向かって開放された第２の吸入開口面２５６２と、前記第１の加湿ファンハウジング２５５０及び第２の加湿ファンハウジング２５６０を貫通し、前記第１の吸入空間２５５１及び第２の吸入空間２５６１を連通させる第１の吸入空間吐出部２５５３と、前記第２の加湿ファンハウジング２５６０に配置され、前記加湿モーター２５２０が設置されるモーター設置部２５６５、とを含む。
【０４７７】
前記第１の加湿ファンハウジング２５５０は、上側に向かって第１の吸入開口面２５５２が形成される。前記クリーン吸入ダクト２５４０は、前記吸入開口面２５５２に連結される。一方、前記第２の加湿ファンハウジング２５６０は、下側に向かって第２の吸入開口面２５６２が形成される。
【０４７８】
本実施形態における前記第１の吸入開口面２５５２の開口された方向と、前記第２の吸入開口面２５６２が開口された方向とは、逆である。
【０４７９】
前記加湿モーター２５２０のモータ軸（未図示）は、前記第２の加湿ファンハウジング２５６０を貫通し、前記加湿インペラ２５１０に組み立てられる。
【０４８０】
前記モーター設置部２５６５は、第２の加湿ファンハウジング２５６０から後方側に突出し、前記モーター設置部２５６５に加湿モーター２５２０が挿入して設置される。
【０４８１】
第１の吸入空間２５５１が形成された第１の加湿ファンハウジング２５５０と、第２の吸入空間２５６１が形成された第２の加湿ファンハウジング２５６０とが、それぞれ製作された後に組み立てられてもよい。
【０４８２】
本実施形態では、組立構造を単純化し、製作コストを節減するために、３つの部分を組み立てて加湿ファンハウジング２５３０を製作する。
【０４８３】
前記加湿ファンハウジング２５３０は、前記第１の吸入空間２５５１の前方を囲むように形成され、前記第１の加湿ファンハウジング２５５０の一部を構成する第１の加湿ファンハウジング部２５３１と、前記第１の吸入空間２５５１の後方を囲むように形成され、前記第２の吸入空間２５６１の前方を囲むように形成され、前記第１の吸入空間吐出部２５５３が形成されて、前記第１の加湿ファンハウジング２５５０のその他及び前記第２の加湿ファンハウジング２５６０の一部を構成する第２の加湿ファンハウジング部２５３２と、前記第２の吸入空間２５６１の後方を囲むように形成され、前記モーター設置部２５６５が配置されて、前記第２の加湿ファンハウジング２５６０のその他を構成する第３ハウジング部２５３３、とを含む。
【０４８４】
前記第２の加湿ファンハウジング部２５３２が、第１の加湿ファンハウジング２５５０及び第２の加湿ファンハウジング２５６０で共用して使用されるため、部品数を単純化して、製作費用を節減することができる。
【０４８５】
前記第２の加湿ファンハウジング部２５３２に第１の吸入空間吐出部２５５３が形成される。前記第１の吸入空間吐出部２５５３は、前記第２の加湿ファンハウジング部２５３２を前後方向に貫通するように形成される。前記第１の吸入空間吐出部２５５３は、加湿インペラ２５１０側に突出し、円形に形成される。
【０４８６】
前記第２の加湿ファンハウジング部２５３２は、前記第１の吸入空間吐出部２５５３を形成し、前記加湿インペラ２５１０側に突出するオリフィス部２５３４が形成される。
【０４８７】
前記第２の加湿ファンハウジング部２５３２は、前方に第１の吸入空間２５５１が配置され、後方に第２の吸入空間２５６１が配置される。
【０４８８】
前記加湿インペラ２５１０は、中央側に空気を吸入し、円周方向に空気を吐出する遠心ファンである。前記加湿インペラ２５１０から吐出された空気は、前記第２の加湿ファンハウジング２５６０を介してスチームジェネレータ２３００に流動される。
【０４８９】
前記加湿モーター２５２０の駆動による濾過空気の流動を考察すれば、次のとおりである。
【０４９０】
前記加湿モーター２５２０の駆動時、前記加湿モーター２５２０と結合した加湿インペラ２５１０が回転される。前記加湿インペラ２５１０が回転されると、加湿ファンハウジング２５３０内で空気の流動が発生し、クリーン吸入ダクト２５４０を介して濾過空気が吸入される。
【０４９１】
前記クリーン吸入ダクト２５４０を介して吸入された濾過空気は、第１の加湿ファンハウジング２５５０の第１の吸入空間２５５１及び第１の吸入空間吐出部２５５３を経て第２の加湿ファンハウジング２５６０に流動される。前記第２の加湿ファンハウジング２５６０に流動された空気は、加湿インペラ２５１０によって加圧され、前記第２の加湿ファンハウジング２５６０に沿って下側に流動された後、第２の吸入開口面２５６２を介してスチームジェネレータ２３００の内部に流動される。
【０４９２】
前記スチームジェネレータ２３００の空気吸入部２３１８を介してスチームハウジング２３１０の内部に流動された濾過空気は、スチームジェネレータ２３００で生成されたスチームと共にスチーム吐出部２３１６に吐出される。
【０４９３】
前記スチーム吐出部２３１６から吐出された加湿空気は、メインスチームガイド２４５０における第１の分岐ガイド２４１０及び第２の分岐ガイド２４２０に分岐される。
【０４９４】
前記第１の分岐ガイド２４１０に流動された加湿空気は、第１のディフューザ２４４０を介して第１の側面吐出口３０１に吐出され、前記第２の分岐ガイド２４２０で流動された加湿空気は、第２のディフューザ２４５０を介して第２の側面吐出口３０２に吐出される。
【０４９５】
前記第１の側面吐出口３０１から吐出された加湿空気は、近距離ファンアセンブリ３００を介して生成された風と共にキャビネットアセンブリ１００の左側に拡散し、前記第２の側面吐出口３０２から吐出された加湿空気は、近距離ファンアセンブリ３００を介して生成された風と共にキャビネットアセンブリ１００の右側に拡散する。
【０４９６】
図２２は、本発明の第２実施形態によるスチームジェネレータ、水タンク及びドレンポンプの給水及び排水の連結構造が示された平面図である。
【０４９７】
本実施形態による室内機は、前記サプライチャンバハウジング２２１０及びスチームジェネレータ２３００を連結し、前記スチームジェネレータ２３００の内部及びサプライチャンバ２２１１を連通させる水連結管２７３０’と、前記スチームジェネレータ２３００及びドレンポンプ２７１０を連結し、前記スチームジェネレータ２３００の内部及びドレンインレット２７１４を連結する排水連結管２７４０と、前記排水連結管２７４０と連結され、前記排水連結管２７４０を通す水の流動を断続する排水弁２７５０とを含む。
【０４９８】
前記スチームジェネレータ２３００は、第１の水パイプ２３１１及び第２の水パイプ２３１２を含む。
【０４９９】
前記第１の水パイプ２３１１は、チャンバハウジングパイプ２２１４の側部に配置される。前記第２の水パイプ２３１２は、ドレンインレット２７１４の側部に配置される。前記第１の水パイプ２３１１は、前記第２の水パイプ２３１２より前方側に配置される。
【０５００】
前記第１の水パイプ２３１１及び第２の水パイプ２３１２は、同じ高さに配置されうる。前記第２の水パイプ２３１２が、前記第１の水パイプ２３１１より低く配置されることが排水に好ましい。
【０５０１】
前記第１の水パイプ２３１１及び第２の水パイプ２３１２は、前記チャンバハウジングパイプ２２１４より低く配置され、前記ドレンインレット２７１４より高く配置される。
【０５０２】
本実施形態では、前記ドレンポンプ２７１０の吸入側に排水弁２７５０がさらに配置される。前記排水弁２７５０は、排水連結管２７４０の水を断続する。
【０５０３】
前記排水弁２７５０がない場合、前記スチームジェネレータ２３００の作動時、加熱された高温の水がドレンポンプ２７１０に流入し、ドレンポンプ２７１０を損傷させることができる。
【０５０４】
前記排水弁２７５０は、高温の水がドレンポンプ２７１０に流入することを遮断する。
【０５０５】
前記排水弁２７５０は、排水連結管２７４０に配置されるか、前記ドレンインレット２７１４及び排水連結管２７４０との間に配置されうる。
【０５０６】
本実施形態では、前記スチームジェネレータ２３００に貯蔵された水を排水するとき、スチームジェネレータ２３００の水温又はスチームジェネレータの内部温度を確認した後、前記ドレンポンプ２７１０を作動させることができる。水温を確認しない場合、スチームジェネレータ２３００の作動後、水が冷える時間を考慮してドレンポンプ２７１０を作動させなければならない。
【０５０７】
その他構成は、前記一実施形態と同様であるため、詳細な説明を省略する。
【０５０８】
以上では、添付の図面を参照して本発明の実施形態を説明したが、本発明は、前記実施形態に限定されるものではなく、互いに異なる様々な形態に製造されることができ、本発明の属する技術分野における通常の知識を有する者は、本発明の技術的思想や必須特徴を変更しなくても、他の具体的な形態に実施することを理解することができる。よって、以上に述べた実施形態は、あらゆる面で例示的なものであり、限定的ではないと理解しなければならない。
【符号の説明】
【０５０９】
１００     キャビネットアセンブリ
２００     ドアアセンブリ
３００     近距離ファンアセンブリ
４００     遠距離ファンアセンブリ
５００     熱交換アセンブリ
６００     フィルターアセンブリ
７００     ムービングクリーナー
１１００   パネルモジュール
１２００   ドアカバーアセンブリ
１３００   ドアスライドモジュール
１４００   サイドムービングアセンブリ
１５００   ディスプレイモジュール
１６００   ドアカバームービングモジュール
１７００   ドアハウジングムービングモジュール
１８００   ケーブルガイド
１９００   カメラモジュール
２０００   加湿アセンブリ
２１００   水タンク
２２００   水供給アセンブリ    
２３００   スチームジェネレータ
２４００   スチームガイド
２５００   加湿ファン
２６００   ティルティングアセンブリ
２７００   ドレンアセンブリ
２８００   ティルティング駆動ギアアセンブリ
【図１】
2021516328.tif 000004
【図２】
2021516328.tif 000005
【図３】
2021516328.tif 000006
【図４】
2021516328.tif 000007
【図５】
2021516328.tif 000008
【図６】
2021516328.tif 000009
【図７】
2021516328.tif 000010
【図８】
2021516328.tif 000011
【図９】
2021516328.tif 000012
【図１０】
2021516328.tif 000013
【図１１】
2021516328.tif 000014
【図１２】
2021516328.tif 000015
【図１３】
2021516328.tif 000016
【図１４】
2021516328.tif 000017
【図１５】
2021516328.tif 000018
【図１６】
2021516328.tif 000019
【図１７】
2021516328.tif 000020
【図１８】
2021516328.tif 000021
【図１９】
2021516328.tif 000022
【図２０】
2021516328.tif 000023
【図２１】
2021516328.tif 000024
【図２２】
2021516328.tif 000025
【図２３】
2021516328.tif 000026
【図２４】
2021516328.tif 000027
【図２５】
2021516328.tif 000028
【図２６】
2021516328.tif 000029
【手続補正書】
【提出日】令和2年9月16日(2020.9.16)
【手続補正１】
【補正対象書類名】特許請求の範囲
【補正対象項目名】全文
【補正方法】変更
【補正の内容】
【特許請求の範囲】
【請求項１】
空気調和機であって、
内部空間を形成し、室内の空気が前記内部空間に流入する吸入口が形成されたキャビネットアセンブリと、及び、
前記キャビネットアセンブリの内部に配置され、気化した水を利用して加湿空気を生成する加湿アセンブリと、を備えてなり、
前記加湿アセンブリは、
水が貯蔵され、貯蔵された水が気化する貯水空間を形成し、前記内部空間の空気が前記貯水空間に流入する空気吸入口と、及び、
気化した水と前記空気吸入口を介して流入した空気とが混合した前記加湿空気が吐出される加湿空気吐出口とが形成されたスチームハウジングと、を備えてなる、空気調和機。
【請求項２】
前記空気吸入口と前記加湿空気吐出口は、前記スチームハウジングの上部面に互いに離隔して形成される、請求項１に記載の空気調和機。
【請求項３】
前記空気吸入口の面積は、前記加湿空気吐出口の面積より大きく形成された、請求項１に記載の空気調和機。
【請求項４】
前記加湿空気吐出口の面積は、前記空気吸入口の面積の１／２以上かつ２／３以下である、請求項１に記載の空気調和機。
【請求項５】
前記加湿空気吐出口と前記スチームハウジングの底面との間の距離は、前記空気吸入口と前記スチームハウジングの底面との間の距離より大きいものである、請求項１に記載の空気調和機。
【請求項６】
前記加湿アセンブリは、
前記スチームハウジングと連結され、前記スチームハウジングに流入する水又は前記スチームハウジングから流出する水が流動する水パイプをさらに備えてなる、請求項１に記載の空気調和機。
【請求項７】
前記水パイプは、前記スチームハウジングの前後方向を基準に、前記空気吸入口が形成された前記スチームハウジングの後方における前記スチームハウジングの周面の下端部に配置される、請求項６に記載の空気調和機。
【請求項８】
前記加湿アセンブリは、
前記スチームハウジングの内部に流入する水が流動する第１の連結管と、
前記水パイプと連結される第２の連結管と、
前記スチームハウジングの内部に排出される水が流動する第３の連結管と、及び、
前記第１の連結管、前記第２の連結管及び前記第３の連結管を互いに連結する３方向パイプと、をさらに備えてなる、請求項７に記載の空気調和機。
【請求項９】
前記第１の連結管と前記第３の連結管は、水の流動方向の下側に傾斜して形成される、請求項８に記載の空気調和機。
【請求項１０】
前記第１の連結管は、前記第３の連結管より長い流路を形成する、請求項８に記載の空気調和機。
【請求項１１】
前記加湿アセンブリは、
水を貯蔵する水タンクと、及び、
前記水タンクと前記第１の連結管との間に配置され、前記水タンクの水を前記スチームハウジングに提供するものの、前記スチームハウジングの前記貯水空間の水位が設定水位以内になるように水の供給を調節する水供給アセンブリと、をさらに備え、
前記空気吸入口は、前記設定水位から上側方向に一定間隔離隔して形成される、請求項８に記載の空気調和機。
【請求項１２】
前記加湿アセンブリは、前記第３の連結管と連結され、前記スチームハウジング、前記水タンク及び、前記水供給アセンブリの水を排水するドレンアセンブリをさらに備えてなる、請求項１１に記載の空気調和機。
【請求項１３】
前記スチームハウジングの内部の最低水位と最高水位を感知する水位センサーを備え、
前記空気吸入口は、前記水位センサーが感知する前記スチームハウジングの内部の前記最高水位より上側に一定間隔離隔して配置される、請求項１に記載の空気調和機。
【請求項１４】
前記水位センサーは、前記スチームハウジングの上部面における前記スチームハウジングの内部に突出するように配置され、前記空気吸入口と前記加湿空気吐出口との間に配置される、請求項１３に記載の空気調和機。
【請求項１５】
前記水位センサーは、
前記スチームハウジングの内部に貯蔵された水が下端部に触れるとき、前記最低水位を感知する第１の水位センサーと、及び、
前記スチームハウジングの内部に貯蔵された水が下端部に触れるとき、前記最高水位を感知する第２の水位センサーと、を備え、
前記空気吸入口は、前記第２の水位センサーの下端部より上側に離隔して配置される、請求項１３に記載の空気調和機。
【請求項１６】
前記加湿アセンブリは、
前記スチームハウジングの上側に配置され、前記内部空間の空気を、前記空気吸入口を介して前記スチームハウジングの貯水空間に流動させる加湿ファンをさらに備えてなる、請求項１に記載の空気調和機。
【請求項１７】
前記空気調和機は、前記キャビネットアセンブリの内側に配置され、前記空気吸入口の内側に位置し、室内の空気を濾過させて、前記内部空間に提供するフィルターアセンブリをさらに備えてなる、請求項１に記載の空気調和機。
【請求項１８】
前記空気調和機は、
前記キャビネットアセンブリの内側に配置され、前記吸入口の内側に位置される熱交換アセンブリと、及び、
前記熱交換アセンブリの下部に配置され、前記熱交換アセンブリを支持し、前記内部空間の下側のうち一部を閉鎖するドレンファンと、をさらに備えてなる、請求項１に記載の空気調和機。
【請求項１９】
前記加湿アセンブリは、前記加湿空気を前記内部空間の空気が前記室内に吐出される吐出流路に提供する、請求項１に記載の空気調和機。
【国際調査報告】
2021516328.tif 000030
2021516328.tif 000031
2021516328.tif 000032
2021516328.tif 000033